(57)【要約】      （修正有）【課題】無線リソース管理のための上りリンク参照信号の測定を適切に利用することで、システム全体の伝送効率を向上させることが可能な仕組みを提供する。【解決手段】端末装置は、下りリンク参照信号に基づいて下りリンク測定を行う測定部と、無線リソースの管理のための測定に関する第１の設定に基づいて第１の上りリンク参照信号を送信する送信部と、を備える。送信部は、第１の条件を満たす場合に、第１の上りリンク参照信号を送信し、測定部は、第２の条件を満たす場合に、下りリンク測定を行う。【選択図】図９
2018074504.tif 000002
【特許請求の範囲】
【請求項１】
下りリンク参照信号に基づいて下りリンク測定を行う測定部と、
無線リソースの管理のための測定に関する第１の設定に基づいて第１の上りリンク参照信号を送信する送信部と、
を備え、
前記送信部は、第１の条件を満たす場合に、前記第１の上りリンク参照信号を送信し、
前記測定部は、第２の条件を満たす場合に、前記下りリンク測定を行う、
端末装置。
【請求項２】
前記第１の条件を満たす場合は、前記端末装置が接続モードであり、
前記第２の条件を満たす場合は、前記端末装置がアイドルモードまたは不活性モードである、請求項１に記載の端末装置。
【請求項３】
前記第１の条件を満たす場合は、対象の時間リソースがＤＲＸ（Discontinuous  Reception）区間内であり、
前記第２の条件を満たす場合は、前記対象の時間リソースがＤＲＸ区間外である、請求項１に記載の端末装置。
【請求項４】
前記送信部は、第３の条件を満たす場合に、前記第１の上りリンク参照信号を送信し、第４の条件を満たす場合に、前記第１の設定とは異なる第２の設定に基づいて第２の上りリンク参照信号を送信する、請求項１に記載の端末装置。
【請求項５】
前記第３の条件を満たす場合は、対象の周波数リソースがデアクティベーションであり、
前記第４の条件を満たす場合は、前記対象の周波数リソースがアクティベーションである、請求項４に記載の端末装置。
【請求項６】
前記第３の条件を満たす場合は、対象の時間リソースが前記第１の設定で指示される送信タイミングであり、
前記第４の条件を満たす場合は、前記対象の時間リソースが前記第２の設定で指示される送信タイミングであり、かつ、前記第１の設定で指示される送信タイミングでない、請求項４に記載の端末装置。
【請求項７】
所定の周波数リソースにおいて、前記第１の上りリンク参照信号と前記第２の上りリンク参照信号とが同時に送信されることがない、請求項４に記載の端末装置。
【請求項８】
下りリンク参照信号を送信する送信部と、
第１の条件を満たす場合に無線リソースの管理のための測定に関する第１の設定に基づいて第１の上りリンク参照信号を送信し、第２の条件を満たす場合に前記下りリンク参照信号に基づいて下りリンク測定を行う端末装置により送信された、前記第１の上りリンク参照信号に基づいて第１の上りリンク測定を行う測定部と
を備える基地局装置。
【請求項９】
前記基地局装置は、前記第１の上りリンク測定により得られた測定情報を隣接基地局に転送する転送部をさらに備える、請求項８に記載の基地局装置。
【請求項１０】
前記第１の条件を満たす場合は、前記端末装置が接続モードであり、
前記第２の条件を満たす場合は、前記端末装置がアイドルモードまたは不活性モードである、請求項８に記載の基地局装置。
【請求項１１】
前記第１の条件を満たす場合は、対象の時間リソースがＤＲＸ区間内であり、
前記第２の条件を満たす場合は、前記対象の時間リソースがＤＲＸ区間外である、請求項８に記載の基地局装置。
【請求項１２】
前記測定部は、第３の条件を満たす場合に、前記第１の上りリンク測定を行い、第４の条件を満たす場合に、前記第１の設定とは異なる第２の設定に基づいて前記端末装置により送信された、第２の上りリンク参照信号に基づいて第２の上りリンク測定を行う、請求項８に記載の基地局装置。
【請求項１３】
前記第３の条件を満たす場合は、対象の周波数リソースがデアクティベーションであり、
前記第４の条件を満たす場合は、前記対象の周波数リソースがアクティベーションである、請求項１２に記載の基地局装置。
【請求項１４】
前記第３の条件を満たす場合は、対象の時間リソースが前記第１の設定で指示される送信タイミングであり、
前記第４の条件を満たす場合は、前記対象の時間リソースが前記第２の設定で指示される送信タイミングであり、かつ、前記第１の設定で指示される送信タイミングでない、請求項１２に記載の基地局装置。
【請求項１５】
所定の周波数リソースにおいて、前記第１の上りリンク参照信号と前記第２の上りリンク参照信号とが同時に送信されることがない、請求項１２に記載の基地局装置。
【請求項１６】
第２の条件を満たす場合に、下りリンク参照信号に基づいて下りリンク測定を行うことと、
第１の条件を満たす場合に、無線リソースの管理のための測定に関する第１の設定に基づいて第１の上りリンク参照信号を送信することと、
を含むプロセッサにより実行される方法。
【請求項１７】
下りリンク参照信号を送信することと、
第１の条件を満たす場合に無線リソースの管理のための測定に関する第１の設定に基づいて第１の上りリンク参照信号を送信し、第２の条件を満たす場合に前記下りリンク参照信号に基づいて下りリンク測定を行う端末装置により送信された、前記第１の上りリンク参照信号に基づいて第１の上りリンク測定を行うことと、
を含むプロセッサにより実行される方法。
【発明の詳細な説明】
【技術分野】
【０００１】
本開示は、端末装置、基地局装置及び方法に関する。
【背景技術】
【０００２】
セルラー移動通信の無線アクセス方式および無線ネットワーク（以下、「Long  Term  Evolution（LTE）」、「LTE-Advanced（LTE-A）」、「LTE-Advanced  Pro（LTE-A  Pro）」、「New  Radio（NR）」、「New  Radio  Access  Technology（NRAT）」、「Evolved  Universal  Terrestrial  Radio  Access（EUTRA）」、または「Further  EUTRA（FEUTRA）」とも称する。）が、第三世代パートナーシッププロジェクト（3rd  Generation  Partnership  Project:  3GPP）において検討されている。なお、以下の説明において、ＬＴＥは、LTE-A、LTE-A  Pro、およびEUTRAを含み、ＮＲは、NRAT、およびFEUTRAを含む。ＬＴＥおよびＮＲでは、基地局装置（基地局）はｅＮｏｄｅＢ（evolved  NodeB）、端末装置（移動局、移動局装置、端末）はＵＥ（User  Equipment）とも称する。ＬＴＥおよびＮＲは、基地局装置がカバーするエリアをセル状に複数配置するセルラー通信システムである。単一の基地局装置は複数のセルを管理してもよい。
【０００３】
ＮＲは、ＬＴＥに対する次世代の無線アクセス方式として、ＬＴＥとは異なるＲＡＴ（Radio  Access  Technology）である。ＮＲは、ｅＭＢＢ（Enhanced  mobile  broadband）、ｍＭＴＣ（Massive  machine  type  communications）およびＵＲＬＬＣ（Ultra  reliable  and  low  latency  communications）を含む様々なユースケースに対応できるアクセス技術である。ＮＲは、それらのユースケースにおける利用シナリオ、要求条件、および配置シナリオなどに対応する技術フレームワークを目指して検討される。ＮＲのシナリオや要求条件の詳細は、非特許文献１に開示されている。
【０００４】
また、無線リソース管理のために端末装置と基地局装置との間で送受信される、測定のための参照信号の詳細が、非特許文献２に開示されている。
【先行技術文献】
【非特許文献】
【０００５】
【非特許文献１】3rd  Generation  Partnership  Project;  Technical  Specification  Group  Radio  Access  Network;  Study  on  Scenarios  and  Requirements  for  Next  Generation  Access  Technologies;  (Release  14),  3GPP  TR  38.913  V0.3.0  (2016-03).<http://www.3gpp.org/ftp/Specs/archive/38_series/38.913/38913-030.zip>
【非特許文献２】3rd  Generation  Partnership  Project;  Technical  Specification  Group  Radio  Access  Network;  Evolved  Universal  Terrestrial  Radio  Access  (E-UTRA)  and  Evolved  Universal  Terrestrial  Radio  Access  Network  (E-UTRAN);  Overall  description;  Stage  2  (Release  14),  3GPP  TR  36.300  V14.0.0  (2016-09).<http://www.3gpp.org/ftp/Specs/archive/36_series/36.300/36300-e00.zip>
【発明の概要】
【発明が解決しようとする課題】
【０００６】
近年では、無線リソース管理のための測定が、上りリンク参照信号に基づいて行われることが望ましい場合があると考えられている。よって、無線アクセス技術において、より高効率な無線リソースの管理を行うためには、無線リソース管理のための下りリンク参照信号の測定および無線リソース管理のための上りリンク参照信号の測定の両方がサポートされることが好ましい。また、通信オーバヘッドの観点から、それらの無線リソースの管理のための測定に用いられる無線リソースなどは、通信状況に応じて適宜制御されることが好ましい。
【０００７】
そこで、本開示では、無線リソース管理のための上りリンク参照信号の測定を適切に利用することで、システム全体の伝送効率を向上させることが可能な仕組みを提供する。
【課題を解決するための手段】
【０００８】
本開示によれば、下りリンク参照信号に基づいて下りリンク測定を行う測定部と、無線リソースの管理のための測定に関する第１の設定に基づいて第１の上りリンク参照信号を送信する送信部と、を備え、前記送信部は、第１の条件を満たす場合に、前記第１の上りリンク参照信号を送信し、前記測定部は、第２の条件を満たす場合に、前記下りリンク測定を行う、端末装置が提供される。
【０００９】
また、本開示によれば、下りリンク参照信号を送信する送信部と、第１の条件を満たす場合に無線リソースの管理のための測定に関する第１の設定に基づいて第１の上りリンク参照信号を送信し、第２の条件を満たす場合に前記下りリンク参照信号に基づいて下りリンク測定を行う端末装置により送信された、前記第１の上りリンク参照信号に基づいて第１の上りリンク測定を行う測定部とを備える基地局装置が提供される。
【００１０】
また、本開示によれば、第２の条件を満たす場合に、下りリンク参照信号に基づいて下りリンク測定を行うことと、第１の条件を満たす場合に、無線リソースの管理のための測定に関する第１の設定に基づいて第１の上りリンク参照信号を送信することと、を含むプロセッサにより実行される方法が提供される。
【００１１】
また、本開示によれば、下りリンク参照信号を送信することと、第１の条件を満たす場合に無線リソースの管理のための測定に関する第１の設定に基づいて第１の上りリンク参照信号を送信し、第２の条件を満たす場合に前記下りリンク参照信号に基づいて下りリンク測定を行う端末装置により送信された、前記第１の上りリンク参照信号に基づいて第１の上りリンク測定を行うことと、を含むプロセッサにより実行される方法が提供される。
【発明の効果】
【００１２】
以上説明したように本開示によれば、無線リソース管理のための上りリンク参照信号の測定を適切に利用することで、システム全体の伝送効率を向上させることが可能な仕組みが提供される。なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１３】
【図１】本実施形態におけるコンポーネントキャリアの設定の一例を示す図である。
【図２】本実施形態におけるコンポーネントキャリアの設定の一例を示す図である。
【図３】本実施形態におけるＬＴＥの下りリンクサブフレームの一例を示す図である。
【図４】本実施形態におけるＬＴＥの上りリンクサブフレームの一例を示す図である。
【図５】ＮＲセルにおける送信信号に関するパラメータセットの一例を示す図である。
【図６】本実施形態におけるＮＲの下りリンクサブフレームの一例を示す図である。
【図７】本実施形態におけるＮＲの上りリンクサブフレームの一例を示す図である。
【図８】本実施形態の基地局装置の構成を示す概略ブロック図である。
【図９】本実施形態の端末装置の構成を示す概略ブロック図である。
【図１０】本実施形態におけるＬＴＥの下りリンクリソースエレメントマッピングの一例を示す図である。
【図１１】本実施形態におけるＮＲの下りリンクリソースエレメントマッピングの一例を示す図である。
【図１２】本実施形態におけるＮＲの下りリンクリソースエレメントマッピングの一例を示す図である。
【図１３】本実施形態におけるＮＲの下りリンクリソースエレメントマッピングの一例を示す図である。
【図１４】本実施形態における自己完結型送信のフレーム構成の一例を示す図である。
【図１５】本実施形態に係る通信システムの全体構成を示す図である。
【図１６】本実施形態に係る下りリンクＲＲＭ測定と上りリンクＲＲＭ測定の切替の一例を示す図である。
【図１７】本実施形態に係るＲＲＭ測定用上りリンクＲＳ送信とＣＳＩ測定用上りリンクＲＳ送信の切替の一例を示す図である。
【図１８】本実施形態に係るＲＲＭ測定用上りリンクＲＳ送信とＣＳＩ測定用上りリンクＲＳ送信の切替の一例を示す図である。
【図１９】本実施形態に係る基地局装置及び端末装置において実行されるＲＲＭ測定に関するプロシージャの流れの一例を示す図である。
【図２０】本実施形態に係る基地局装置及び端末装置において実行されるＲＲＭ測定に関するプロシージャの流れの一例を示す図である。
【図２１】本実施形態に係る基地局装置及び端末装置において実行されるＲＲＭ測定に関するプロシージャの流れの一例を示す図である。
【図２２】ｅＮＢの概略的な構成の第１の例を示すブロック図である。
【図２３】ｅＮＢの概略的な構成の第２の例を示すブロック図である。
【図２４】スマートフォンの概略的な構成の一例を示すブロック図である。
【図２５】カーナビゲーション装置の概略的な構成の一例を示すブロック図である。
【発明を実施するための形態】
【００１４】
以下に添付図面を参照しながら、本開示の好適な実施の形態について詳細に説明する。なお、本明細書及び図面において、実質的に同一の機能構成を有する構成要素については、同一の符号を付することにより重複説明を省略する。また、特に明記されない限り、以下で説明される技術、機能、方法、構成、手順、およびその他全ての記載は、ＬＴＥおよびＮＲに適用できる。
【００１５】
また、本明細書及び図面において、実質的に同一の機能構成を有する要素を、同一の符号の後に異なるアルファベットを付して区別する場合もある。例えば、実質的に同一の機能構成を有する複数の要素を、必要に応じて基地局装置１Ａ、１Ｂ及び１Ｃのように区別する。ただし、実質的に同一の機能構成を有する複数の要素の各々を特に区別する必要がない場合、同一符号のみを付する。例えば、基地局装置１Ａ、１Ｂ及び１Ｃを特に区別する必要が無い場合には、単に基地局装置１と称する。
【００１６】
なお、説明は以下の順序で行うものとする。
１．はじめに
２．技術的特徴
２．１．全体構成
２．２．測定
３．応用例
４．まとめ
【００１７】
＜＜１．はじめに＞＞
まず、本開示の一実施形態に関する技術について説明する。
【００１８】
＜本実施形態における無線通信システム＞
本実施形態において、無線通信システムは、基地局装置１および端末装置２を少なくとも具備する。基地局装置１は複数の端末装置を収容できる。基地局装置１は、他の基地局装置とＸ２インターフェースの手段によって互いに接続できる。また、基地局装置１は、Ｓ１インターフェースの手段によってＥＰＣ（Evolved  Packet  Core）に接続できる。さらに、基地局装置１は、Ｓ１−ＭＭＥインターフェースの手段によってＭＭＥ（Mobility  Management  Entity）に接続でき、Ｓ１−Ｕインターフェースの手段によってＳ−ＧＷ（Serving  Gateway）に接続できる。Ｓ１インターフェースは、ＭＭＥおよび／またはＳ−ＧＷと基地局装置１との間で、多対多の接続をサポートしている。また、本実施形態において、基地局装置１および端末装置２は、それぞれＬＴＥおよび／またはＮＲをサポートする。
【００１９】
＜本実施形態における無線アクセス技術＞
本実施形態において、基地局装置１および端末装置２は、それぞれ１つ以上の無線アクセス技術（ＲＡＴ）をサポートする。例えば、ＲＡＴは、ＬＴＥおよびＮＲを含む。１つのＲＡＴは、１つのセル（コンポーネントキャリア）に対応する。すなわち、複数のＲＡＴがサポートされる場合、それらのＲＡＴは、それぞれ異なるセルに対応する。本実施形態において、セルは、下りリンクリソース、上りリンクリソース、および／または、サイドリンクの組み合わせである。また、以下の説明において、ＬＴＥに対応するセルはＬＴＥセルと呼称され、ＮＲに対応するセルはＮＲセルと呼称される。
【００２０】
下りリンクの通信は、基地局装置１から端末装置２に対する通信である。下りリンク送信は、基地局装置１から端末装置２に対する送信であり、下りリンク物理チャネルおよび／または下りリンク物理信号の送信である。上りリンクの通信は、端末装置２から基地局装置１に対する通信である。上りリンク送信は、端末装置２から基地局装置１に対する送信であり、上りリンク物理チャネルおよび／または上りリンク物理信号の送信である。サイドリンクの通信は、端末装置２から別の端末装置２に対する通信である。サイドリンク送信は、端末装置２から別の端末装置２に対する送信であり、サイドリンク物理チャネルおよび／またはサイドリンク物理信号の送信である。
【００２１】
サイドリンクの通信は、端末装置間の近接直接検出および近接直接通信のために定義される。サイドリンクの通信は、上りリンクおよび下りリンクと同様なフレーム構成を用いることができる。また、サイドリンクの通信は、上りリンクリソースおよび／または下りリンクリソースの一部（サブセット）に制限されうる。
【００２２】
基地局装置１および端末装置２は、下りリンク、上りリンクおよび／またはサイドリンクにおいて、１つ以上のセルの集合を用いる通信をサポートできる。複数のセルの集合または複数のセルの集合による通信は、キャリアアグリゲーションまたはデュアルコネクティビティとも呼称される。キャリアアグリゲーションとデュアルコネクティビティの詳細は後述される。また、それぞれのセルは、所定の周波数帯域幅を用いる。所定の周波数帯域幅における最大値、最小値および設定可能な値は、予め規定できる。
【００２３】
図１は、本実施形態におけるコンポーネントキャリアの設定の一例を示す図である。図１の例では、１つのＬＴＥセルと２つのＮＲセルが設定される。１つのＬＴＥセルは、プライマリーセルとして設定される。２つのＮＲセルは、それぞれプライマリーセカンダリーセルおよびセカンダリーセルとして設定される。２つのＮＲセルは、キャリアアグリゲーションにより統合される。また、ＬＴＥセルとＮＲセルは、デュアルコネクティビティにより統合される。なお、ＬＴＥセルとＮＲセルは、キャリアアグリゲーションにより統合されてもよい。図１の例では、ＮＲは、プライマリーセルであるＬＴＥセルにより接続をアシストされることが可能であるため、スタンドアロンで通信するための機能のような一部の機能をサポートしなくてもよい。スタンドアロンで通信するための機能は、初期接続に必要な機能を含む。
【００２４】
図２は、本実施形態におけるコンポーネントキャリアの設定の一例を示す図である。図２の例では、２つのＮＲセルが設定される。２つのＮＲセルは、それぞれプライマリーセルおよびセカンダリーセルとして設定され、キャリアアグリゲーションにより統合される。この場合、ＮＲセルがスタンドアロンで通信するための機能をサポートすることにより、ＬＴＥセルのアシストが不要になる。なお、２つのＮＲセルは、デュアルコネクティビティにより統合されてもよい。
【００２５】
＜本実施形態における無線フレーム構成＞
本実施形態において、１０ｍｓ（ミリ秒）で構成される無線フレーム（radio  frame）が規定される。無線フレームのそれぞれは２つのハーフフレームから構成される。ハーフフレームの時間間隔は、５ｍｓである。ハーフフレームのそれぞれは、５つのサブフレームから構成される。サブフレームの時間間隔は、１ｍｓであり、２つの連続するスロットによって定義される。スロットの時間間隔は、０．５ｍｓである。無線フレーム内のｉ番目のサブフレームは、（２×ｉ）番目のスロットと（２×ｉ＋１）番目のスロットとから構成される。つまり、無線フレームのそれぞれにおいて、１０個のサブフレームが規定される。
【００２６】
サブフレームは、下りリンクサブフレーム、上りリンクサブフレーム、スペシャルサブフレームおよびサイドリンクサブフレームなどを含む。
【００２７】
下りリンクサブフレームは下りリンク送信のために予約されるサブフレームである。上りリンクサブフレームは上りリンク送信のために予約されるサブフレームである。スペシャルサブフレームは３つのフィールドから構成される。３つのフィールドは、ＤｗＰＴＳ（Downlink  Pilot  Time  Slot）、ＧＰ（Guard  Period）、およびＵｐＰＴＳ（Uplink  Pilot  Time  Slot）を含む。ＤｗＰＴＳ、ＧＰ、およびＵｐＰＴＳの合計の長さは１ｍｓである。ＤｗＰＴＳは下りリンク送信のために予約されるフィールドである。ＵｐＰＴＳは上りリンク送信のために予約されるフィールドである。ＧＰは下りリンク送信および上りリンク送信が行われないフィールドである。なお、スペシャルサブフレームは、ＤｗＰＴＳおよびＧＰのみによって構成されてもよいし、ＧＰおよびＵｐＰＴＳのみによって構成されてもよい。スペシャルサブフレームは、ＴＤＤ（Time  Division  Duplex）において下りリンクサブフレームと上りリンクサブフレームとの間に配置され、下りリンクサブフレームから上りリンクサブフレームに切り替えるために用いられる。サイドリンクサブフレームは、サイドリンク通信のために予約または設定されるサブフレームである。サイドリンクは、端末装置間の近接直接通信および近接直接検出のために用いられる。
【００２８】
単一の無線フレームは、下りリンクサブフレーム、上りリンクサブフレーム、スペシャルサブフレームおよび／またはサイドリンクサブフレームから構成される。また、単一の無線フレームは、下りリンクサブフレーム、上りリンクサブフレーム、スペシャルサブフレームまたはサイドリンクサブフレームのみで構成されてもよい。
【００２９】
複数の無線フレーム構成がサポートされる。無線フレーム構成は、フレーム構成タイプで規定される。フレーム構成タイプ１は、ＦＤＤ（Frequency  Division  Duplex）のみに適用できる。フレーム構成タイプ２は、ＴＤＤのみに適用できる。フレーム構成タイプ３は、ＬＡＡ（Licensed  Assisted  Access）セカンダリーセルの運用のみに適用できる。
【００３０】
フレーム構成タイプ２において、複数の上りリンク−下りリンク構成が規定される。上りリンク−下りリンク構成において、１つの無線フレームにおける１０のサブフレームのそれぞれは、下りリンクサブフレーム、上りリンクサブフレーム、およびスペシャルサブフレームのいずれかに対応する。サブフレーム０、サブフレーム５およびＤｗＰＴＳは常に下りリンク送信のために予約される。ＵｐＰＴＳおよびそのスペシャルサブフレームの直後のサブフレームは常に上りリンク送信のために予約される。
【００３１】
フレーム構成タイプ３において、１つの無線フレーム内の１０のサブフレームが下りリンク送信のために予約される。端末装置２は、ＰＤＳＣＨまたは検出信号が送信されないサブフレームを空のサブフレームとして扱うことができる。端末装置２は、所定の信号、チャネルおよび／または下りリンク送信があるサブフレームで検出されない限り、そのサブフレームにいかなる信号および／またはチャネルも存在しないと想定する。下りリンク送信は、１つまたは複数の連続したサブフレームで専有される。その下りリンク送信の最初のサブフレームは、そのサブフレーム内のどこからでも開始されてもよい。その下りリンク送信の最後のサブフレームは、完全に専有されるか、ＤｗＰＴＳで規定される時間間隔で専有されるか、のいずれかであってもよい。
【００３２】
なお、フレーム構成タイプ３において、１つの無線フレーム内の１０のサブフレームが上りリンク送信のために予約されてもよい。また、１つの無線フレーム内の１０のサブフレームのそれぞれが、下りリンクサブフレーム、上りリンクサブフレーム、スペシャルサブフレームおよびサイドリンクサブフレームのいずれかに対応するようにしてもよい。
【００３３】
基地局装置１は、スペシャルサブフレームのＤｗＰＴＳにおいて、下りリンク物理チャネルおよび下りリンク物理信号を送信してもよい。基地局装置１は、スペシャルサブフレームのＤｗＰＴＳにおいて、ＰＢＣＨの送信を制限できる。端末装置２は、スペシャルサブフレームのＵｐＰＴＳにおいて、上りリンク物理チャネルおよび上りリンク物理信号を送信してもよい。端末装置２は、スペシャルサブフレームのＵｐＰＴＳにおいて、一部の上りリンク物理チャネルおよび上りリンク物理信号の送信を制限できる。
【００３４】
なお、１つの送信における時間間隔はＴＴＩ（Transmission  Time  Interval）と呼称され、ＬＴＥにおいて、１ｍｓ（１サブフレーム）を１ＴＴＩと定義される。
【００３５】
＜本実施形態におけるＬＴＥのフレーム構成＞
図３は、本実施形態におけるＬＴＥの下りリンクサブフレームの一例を示す図である。図３に示される図は、ＬＴＥの下りリンクリソースグリッドとも呼称される。基地局装置１は、端末装置２への下りリンクサブフレームにおいて、ＬＴＥの下りリンク物理チャネルおよび／またはＬＴＥの下りリンク物理信号を送信できる。端末装置２は、基地局装置１からの下りリンクサブフレームにおいて、ＬＴＥの下りリンク物理チャネルおよび／またはＬＴＥの下りリンク物理信号を受信できる。
【００３６】
図４は、本実施形態におけるＬＴＥの上りリンクサブフレームの一例を示す図である。図４に示される図は、ＬＴＥの上りリンクリソースグリッドとも呼称される。端末装置２は、基地局装置１への上りリンクサブフレームにおいて、ＬＴＥの上りリンク物理チャネルおよび／またはＬＴＥの上りリンク物理信号を送信できる。基地局装置１は、端末装置２からの上りリンクサブフレームにおいて、ＬＴＥの上りリンク物理チャネルおよび／またはＬＴＥの上りリンク物理信号を受信できる。
【００３７】
本実施形態において、ＬＴＥの物理リソースは以下のように定義されうる。１つのスロットは複数のシンボルによって定義される。スロットのそれぞれにおいて送信される物理信号または物理チャネルは、リソースグリッドによって表現される。下りリンクにおいて、リソースグリッドは、周波数方向に対する複数のサブキャリアと、時間方向に対する複数のＯＦＤＭシンボルによって定義される。上りリンクにおいて、リソースグリッドは、周波数方向に対する複数のサブキャリアと、時間方向に対する複数のＳＣ−ＦＤＭＡシンボルによって定義される。サブキャリアまたはリソースブロックの数は、セルの帯域幅に依存して決まるようにしてもよい。１つのスロットにおけるシンボルの数は、ＣＰ（Cyclic  Prefix）のタイプによって決まる。ＣＰのタイプは、ノーマルＣＰまたは拡張ＣＰである。ノーマルＣＰにおいて、１つのスロットを構成するＯＦＤＭシンボルまたはＳＣ−ＦＤＭＡシンボルの数は７である。拡張ＣＰにおいて、１つのスロットを構成するＯＦＤＭシンボルまたはＳＣ−ＦＤＭＡシンボルの数は６である。リソースグリッド内のエレメントのそれぞれはリソースエレメントと称される。リソースエレメントは、サブキャリアのインデックス（番号）とシンボルのインデックス（番号）とを用いて識別される。なお、本実施形態の説明において、ＯＦＤＭシンボルまたはＳＣ−ＦＤＭＡシンボルは単にシンボルとも呼称される。
【００３８】
リソースブロックは、ある物理チャネル（ＰＤＳＣＨまたはＰＵＳＣＨなど）をリソースエレメントにマッピングするために用いられる。リソースブロックは、仮想リソースブロックと物理リソースブロックを含む。ある物理チャネルは、仮想リソースブロックにマッピングされる。仮想リソースブロックは、物理リソースブロックにマッピングされる。１つの物理リソースブロックは、時間領域において所定数の連続するシンボルで定義される。１つの物理リソースブロックは、周波数領域において所定数の連続するサブキャリアとから定義される。１つの物理リソースブロックにおけるシンボル数およびサブキャリア数は、そのセルにおけるＣＰのタイプ、サブキャリア間隔および／または上位層によって設定されるパラメータなどに基づいて決まる。例えば、ＣＰのタイプがノーマルＣＰであり、サブキャリア間隔が１５ｋＨｚである場合、１つの物理リソースブロックにおけるシンボル数は７であり、サブキャリア数は１２である。その場合、１つの物理リソースブロックは（７×１２）個のリソースエレメントから構成される。物理リソースブロックは周波数領域において０から番号が付けられる。また、同一の物理リソースブロック番号が対応する、１つのサブフレーム内の２つのリソースブロックは、物理リソースブロックペア（ＰＲＢペア、ＲＢペア）として定義される。
【００３９】
ＬＴＥセルのそれぞれにおいて、あるサブフレームでは、１つの所定のパラメータが用いられる。例えば、その所定のパラメータは、送信信号に関するパラメータ（物理パラメータ）である。送信信号に関するパラメータは、ＣＰ長、サブキャリア間隔、１つのサブフレーム（所定の時間長）におけるシンボル数、１つのリソースブロック（所定の周波数帯域）のおけるサブキャリア数、多元接続方式、および、信号波形などを含む。
【００４０】
すなわち、ＬＴＥセルでは、下りリンク信号および上りリンク信号は、それぞれ所定の時間長（例えば、サブフレーム）において、１つの所定のパラメータを用いて生成される。換言すると、端末装置２は、基地局装置１から送信される下りリンク信号、および、基地局装置１に送信する上りリンク信号が、それぞれ所定の時間長において、１つの所定のパラメータで生成される、と想定する。また、基地局装置１は、端末装置２に送信する下りリンク信号、および、端末装置２から送信される上りリンク信号が、それぞれ所定の時間長において、１つの所定のパラメータで生成されるように設定する。
【００４１】
＜本実施形態におけるＮＲのフレーム構成＞
ＮＲセルのそれぞれにおいて、ある所定の時間長（例えば、サブフレーム）では、１つ以上の所定のパラメータが用いられる。すなわち、ＮＲセルでは、下りリンク信号および上りリンク信号は、それぞれ所定の時間長において、１つ以上の所定のパラメータを用いて生成される。換言すると、端末装置２は、基地局装置１から送信される下りリンク信号、および、基地局装置１に送信する上りリンク信号が、それぞれ所定の時間長において、１つ以上の所定のパラメータで生成される、と想定する。また、基地局装置１は、端末装置２に送信する下りリンク信号、および、端末装置２から送信される上りリンク信号が、それぞれ所定の時間長において、１つ以上の所定のパラメータで生成されるように設定できる。複数の所定のパラメータが用いられる場合、それらの所定のパラメータが用いられて生成される信号は、所定の方法により多重される。例えば、所定の方法は、ＦＤＭ（Frequency  Division  Multiplexing）、ＴＤＭ（Time  Division  Multiplexing）、ＣＤＭ（Code  Division  Multiplexing）および／またはＳＤＭ（Spatial  Division  Multiplexing）などを含む。
【００４２】
ＮＲセルに設定される所定のパラメータの組み合わせは、パラメータセットとして、複数種類を予め規定できる。
【００４３】
図５は、ＮＲセルにおける送信信号に関するパラメータセットの一例を示す図である。図５の例では、パラメータセットに含まれる送信信号に関するパラメータは、サブキャリア間隔、ＮＲセルにおけるリソースブロックあたりのサブキャリア数、サブフレームあたりのシンボル数、および、ＣＰ長タイプである。ＣＰ長タイプは、ＮＲセルで用いられるＣＰ長のタイプである。例えば、ＣＰ長タイプ１はＬＴＥにおけるノーマルＣＰに相当し、ＣＰ長タイプ２はＬＴＥにおける拡張ＣＰに相当する。
【００４４】
ＮＲセルにおける送信信号に関するパラメータセットは、下りリンクおよび上りリンクでそれぞれ個別に規定することができる。また、ＮＲセルにおける送信信号に関するパラメータセットは、下りリンクおよび上りリンクでそれぞれ独立に設定できる。
【００４５】
図６は、本実施形態におけるＮＲの下りリンクサブフレームの一例を示す図である。図６の例では、パラメータセット１、パラメータセット０およびパラメータセット２を用いて生成される信号が、セル（システム帯域幅）において、ＦＤＭされる。図６に示される図は、ＮＲの下りリンクリソースグリッドとも呼称される。基地局装置１は、端末装置２への下りリンクサブフレームにおいて、ＮＲの下りリンク物理チャネルおよび／またはＮＲの下りリンク物理信号を送信できる。端末装置２は、基地局装置１からの下りリンクサブフレームにおいて、ＮＲの下りリンク物理チャネルおよび／またはＮＲの下りリンク物理信号を受信できる。
【００４６】
図７は、本実施形態におけるＮＲの上りリンクサブフレームの一例を示す図である。図７の例では、パラメータセット１、パラメータセット０およびパラメータセット２を用いて生成される信号が、セル（システム帯域幅）において、ＦＤＭされる。図６に示される図は、ＮＲの上りリンクリソースグリッドとも呼称される。基地局装置１は、端末装置２への上りリンクサブフレームにおいて、ＮＲの上りリンク物理チャネルおよび／またはＮＲの上りリンク物理信号を送信できる。端末装置２は、基地局装置１からの上りリンクサブフレームにおいて、ＮＲの上りリンク物理チャネルおよび／またはＮＲの上りリンク物理信号を受信できる。
【００４７】
＜本実施形態におけるアンテナポート＞
アンテナポートは、あるシンボルを運ぶ伝搬チャネルが、同一のアンテナポートにおける別のシンボルを運ぶ伝搬チャネルから推測できるようにするために定義される。例えば、同一のアンテナポートにおける異なる物理リソースは、同一の伝搬チャネルで送信されていると想定できる。すなわち、あるアンテナポートにおけるシンボルは、そのアンテナポートにおける参照信号により伝搬チャネルを推定し、復調することができる。また、アンテナポート毎に１つのリソースグリッドがある。アンテナポートは、参照信号によって定義される。また、それぞれの参照信号は、複数のアンテナポートを定義できる。
【００４８】
アンテナポートはアンテナポート番号によって特定または識別される。例えば、アンテナポート０〜３は、ＣＲＳが送信されるアンテナポートである。すなわち、アンテナポート０〜３で送信されるＰＤＳＣＨは、アンテナポート０〜３に対応するＣＲＳで復調できる。
【００４９】
２つのアンテナポートは所定の条件を満たす場合、準同一位置（ＱＣＬ：Quasi  co-location）であると表すことができる。その所定の条件は、あるアンテナポートにおけるシンボルを運ぶ伝搬チャネルの広域的特性が、別のアンテナポートにおけるシンボルを運ぶ伝搬チャネルから推測できることである。広域的特性は、遅延分散、ドップラースプレッド、ドップラーシフト、平均利得および／または平均遅延を含む。
【００５０】
本実施形態において、アンテナポート番号は、ＲＡＴ毎に異なって定義されてもよいし、ＲＡＴ間で共通に定義されてもよい。例えば、ＬＴＥにおけるアンテナポート０〜３は、ＣＲＳが送信されるアンテナポートである。ＮＲにおいて、アンテナポート０〜３は、ＬＴＥと同様のＣＲＳが送信されるアンテナポートとすることができる。また、ＮＲにおいて、ＬＴＥと同様のＣＲＳが送信されるアンテナポートは、アンテナポート０〜３とは異なるアンテナポート番号とすることができる。本実施形態の説明において、所定のアンテナポート番号は、ＬＴＥおよび／またはＮＲに対して適用できる。
【００５１】
＜本実施形態における物理チャネルおよび物理信号＞
本実施形態において、物理チャネルおよび物理信号が用いられる。
【００５２】
物理チャネルは、下りリンク物理チャネル、上りリンク物理チャネルおよびサイドリンク物理チャネルを含む。物理信号は、下りリンク物理信号、上りリンク物理信号およびサイドリンク物理信号を含む。
【００５３】
ＬＴＥにおける物理チャネルおよび物理信号は、それぞれＬＴＥ物理チャネルおよびＬＴＥ物理信号とも呼称される。ＮＲにおける物理チャネルおよび物理信号は、それぞれＮＲ物理チャネルおよびＮＲ物理信号とも呼称される。ＬＴＥ物理チャネルおよびＮＲ物理チャネルは、それぞれ異なる物理チャネルとして定義できる。ＬＴＥ物理信号およびＮＲ物理信号は、それぞれ異なる物理信号として定義できる。本実施形態の説明において、ＬＴＥ物理チャネルおよびＮＲ物理チャネルは単に物理チャネルとも呼称され、ＬＴＥ物理信号およびＮＲ物理信号は単に物理信号とも呼称される。すなわち、物理チャネルに対する説明は、ＬＴＥ物理チャネルおよびＮＲ物理チャネルのいずれに対しても適用できる。物理信号に対する説明は、ＬＴＥ物理信号およびＮＲ物理信号のいずれに対しても適用できる。
【００５４】
＜本実施形態におけるＮＲ物理チャネルおよびＮＲ物理信号＞
ＬＴＥにおける物理チャネルおよび物理信号に対する説明は、それぞれＮＲ物理チャネルおよびＮＲ物理信号に対しても適用できる。ＮＲ物理チャネルおよびＮＲ物理信号は、以下のように呼称される。
【００５５】
ＮＲ下りリンク物理チャネルは、ＮＲ−ＰＢＣＨ、ＮＲ−ＰＣＦＩＣＨ、ＮＲ−ＰＨＩＣＨ、ＮＲ−ＰＤＣＣＨ、ＮＲ−ＥＰＤＣＣＨ、ＮＲ−ＭＰＤＣＣＨ、ＮＲ−Ｒ−ＰＤＣＣＨ、ＮＲ−ＰＤＳＣＨ、および、ＮＲ−ＰＭＣＨなどを含む。
【００５６】
ＮＲ下りリンク物理信号は、ＮＲ−ＳＳ、ＮＲ−ＤＬ−ＲＳおよびＮＲ−ＤＳなどを含む。ＮＲ−ＳＳは、ＮＲ−ＰＳＳおよびＮＲ−ＳＳＳなどを含む。ＮＲ−ＲＳは、ＮＲ−ＣＲＳ、ＮＲ−ＰＤＳＣＨ−ＤＭＲＳ、ＮＲ−ＥＰＤＣＣＨ−ＤＭＲＳ、ＮＲ−ＰＲＳ、ＮＲ−ＣＳＩ−ＲＳ、およびＮＲ−ＴＲＳなどを含む。
【００５７】
ＮＲ上りリンク物理チャネルは、ＮＲ−ＰＵＳＣＨ、ＮＲ−ＰＵＣＣＨ、およびＮＲ−ＰＲＡＣＨなどを含む。
【００５８】
ＮＲ上りリンク物理信号は、ＮＲ−ＵＬ−ＲＳを含む。ＮＲ−ＵＬ−ＲＳは、ＮＲ−ＵＬ−ＤＭＲＳおよびＮＲ−ＳＲＳなどを含む。
【００５９】
ＮＲサイドリンク物理チャネルは、ＮＲ−ＰＳＢＣＨ、ＮＲ−ＰＳＣＣＨ、ＮＲ−ＰＳＤＣＨ、およびＮＲ−ＰＳＳＣＨなどを含む。
【００６０】
＜本実施形態における下りリンク物理信号＞
同期信号は、端末装置２が下りリンクの周波数領域および／または時間領域の同期をとるために用いられる。同期信号は、ＰＳＳ（Primary  Synchronization  Signal）およびＳＳＳ（Secondary  Synchronization  Signal）を含む。同期信号は無線フレーム内の所定のサブフレームに配置される。例えば、ＴＤＤ方式において、同期信号は無線フレーム内のサブフレーム０、１、５、および６に配置される。ＦＤＤ方式において、同期信号は無線フレーム内のサブフレーム０および５に配置される。
【００６１】
ＰＳＳは、粗いフレーム／シンボルタイミング同期（時間領域の同期）やセル識別グループの識別に用いられてもよい。ＳＳＳは、より正確なフレームタイミング同期やセルの識別、ＣＰ長の検出に用いられてもよい。つまり、ＰＳＳとＳＳＳを用いることによって、フレームタイミング同期とセル識別を行うことができる。
【００６２】
下りリンク参照信号は、端末装置２が下りリンク物理チャネルの伝搬路推定、伝搬路補正、下りリンクのＣＳＩ（Channel  State  Information、チャネル状態情報）の算出、および／または、端末装置２のポジショニングの測定を行うために用いられる。
【００６３】
ＣＲＳは、サブフレームの全帯域で送信される。ＣＲＳは、ＰＢＣＨ、ＰＤＣＣＨ、ＰＨＩＣＨ、ＰＣＦＩＣＨ、およびＰＤＳＣＨの受信（復調）を行うために用いられる。ＣＲＳは、端末装置２が下りリンクのチャネル状態情報を算出するために用いられてもよい。ＰＢＣＨ、ＰＤＣＣＨ、ＰＨＩＣＨ、およびＰＣＦＩＣＨは、ＣＲＳの送信に用いられるアンテナポートで送信される。ＣＲＳは、１、２または４のアンテナポートの構成をサポートする。ＣＲＳは、アンテナポート０〜３の１つまたは複数で送信される。
【００６４】
ＰＤＳＣＨに関連するＵＲＳは、ＵＲＳが関連するＰＤＳＣＨの送信に用いられるサブフレームおよび帯域で送信される。ＵＲＳは、ＵＲＳが関連するＰＤＳＣＨの復調を行なうために用いられる。ＰＤＳＣＨに関連するＵＲＳは、アンテナポート５、７〜１４の１つまたは複数で送信される。
【００６５】
ＰＤＳＣＨは、送信モードおよびＤＣＩフォーマットに基づいて、ＣＲＳまたはＵＲＳの送信に用いられるアンテナポートで送信される。ＤＣＩフォーマット１Ａは、ＣＲＳの送信に用いられるアンテナポートで送信されるＰＤＳＣＨのスケジューリングに用いられる。ＤＣＩフォーマット２Ｄは、ＵＲＳの送信に用いられるアンテナポートで送信されるＰＤＳＣＨのスケジューリングに用いられる。
【００６６】
ＥＰＤＣＣＨに関連するＤＭＲＳは、ＤＭＲＳが関連するＥＰＤＣＣＨの送信に用いられるサブフレームおよび帯域で送信される。ＤＭＲＳは、ＤＭＲＳが関連するＥＰＤＣＣＨの復調を行なうために用いられる。ＥＰＤＣＣＨは、ＤＭＲＳの送信に用いられるアンテナポートで送信される。ＥＰＤＣＣＨに関連するＤＭＲＳは、アンテナポート１０７〜１１４の１つまたは複数で送信される。
【００６７】
ＣＳＩ−ＲＳは、設定されたサブフレームで送信される。ＣＳＩ−ＲＳが送信されるリソースは、基地局装置１によって設定される。ＣＳＩ−ＲＳは、端末装置２が下りリンクのチャネル状態情報を算出するために用いられる。端末装置２は、ＣＳＩ−ＲＳを用いて信号測定（チャネル測定）を行う。ＣＳＩ−ＲＳは、１、２、４、８、１２、１６、２４および３２の一部または全部のアンテナポートの設定をサポートする。ＣＳＩ−ＲＳは、アンテナポート１５〜４６の１つまたは複数で送信される。なお、サポートされるアンテナポートは、端末装置２の端末装置ケイパビリティ、ＲＲＣパラメータの設定、および／または設定される送信モードなどに基づいて決定されてもよい。
【００６８】
ＺＰ  ＣＳＩ−ＲＳのリソースは、上位層によって設定される。ＺＰ  ＣＳＩ−ＲＳのリソースはゼロ出力の電力で送信されてもよい。すなわち、ＺＰ  ＣＳＩ−ＲＳのリソースは何も送信しなくてもよい。ＺＰ  ＣＳＩ−ＲＳの設定したリソースにおいて、ＰＤＳＣＨおよびＥＰＤＣＣＨは送信されない。例えば、ＺＰ  ＣＳＩ−ＲＳのリソースは隣接セルがＮＺＰ  ＣＳＩ−ＲＳの送信を行うために用いられる。また、例えば、ＺＰ  ＣＳＩ−ＲＳのリソースはＣＳＩ−ＩＭを測定するために用いられる。また、例えば、ＺＰ  ＣＳＩ−ＲＳのリソースはＰＤＳＣＨなどの所定のチャネルが送信されないリソースである。換言すると、所定のチャネルは、ＺＰ  ＣＳＩ−ＲＳのリソースを除いて（レートマッチングして、パンクチャして）マッピングされる。
【００６９】
＜本実施形態における上りリンク物理チャネル＞
ＰＵＣＣＨは、上りリンク制御情報（Uplink  Control  Information:  UCI）を送信するために用いられる物理チャネルである。上りリンク制御情報は、下りリンクのチャネル状態情報（Channel  State  Information:  CSI）、ＰＵＳＣＨリソースの要求を示すスケジューリング要求（Scheduling  Request:  SR）、下りリンクデータ（Transport  block:  TB,  Downlink-Shared  Channel:  DL-SCH）に対するＨＡＲＱ−ＡＣＫを含む。ＨＡＲＱ−ＡＣＫは、ＡＣＫ／ＮＡＣＫ、ＨＡＲＱフィードバック、または、応答情報とも称される。また、下りリンクデータに対するＨＡＲＱ−ＡＣＫは、ＡＣＫ、ＮＡＣＫ、またはＤＴＸを示す。
【００７０】
ＰＵＳＣＨは、上りリンクデータ（Uplink-Shared  Channel:  UL-SCH）を送信するために用いられる物理チャネルである。また、ＰＵＳＣＨは、上りリンクデータと共にＨＡＲＱ−ＡＣＫおよび／またはチャネル状態情報を送信するために用いられてもよい。また、ＰＵＳＣＨは、チャネル状態情報のみ、または、ＨＡＲＱ−ＡＣＫおよびチャネル状態情報のみを送信するために用いられてもよい。
【００７１】
ＰＲＡＣＨは、ランダムアクセスプリアンブルを送信するために用いられる物理チャネルである。ＰＲＡＣＨは、端末装置２が基地局装置１と時間領域の同期をとるために用いられることができる。また、ＰＲＡＣＨは、初期コネクション構築（initial  connection  establishment）手続き（処理）、ハンドオーバ手続き、コネクション再構築（connection  re-establishment）手続き、上りリンク送信に対する同期（タイミング調整）、および／または、ＰＵＳＣＨリソースの要求を示すためにも用いられる。
【００７２】
ＰＵＣＣＨ領域において、複数のＰＵＣＣＨが周波数、時間、空間および／またはコード多重される。ＰＵＳＣＨ領域において、複数のＰＵＳＣＨが周波数、時間、空間および／またはコード多重されてもよい。ＰＵＣＣＨおよびＰＵＳＣＨは周波数、時間、空間および／またはコード多重されてもよい。ＰＲＡＣＨは単一のサブフレームまたは２つのサブフレームにわたって配置されてもよい。複数のＰＲＡＣＨが符号多重されてもよい。
【００７３】
＜本実施形態における上りリンク物理信号＞
ＵＬ−ＤＭＲＳは、ＰＵＳＣＨまたはＰＵＣＣＨの送信に関連する。ＵＬ−ＤＭＲＳは、ＰＵＳＣＨまたはＰＵＣＣＨと時間多重される。基地局装置１は、ＰＵＳＣＨまたはＰＵＣＣＨの伝搬路補正を行うためにＵＬ−ＤＭＲＳを用いてもよい。本実施形態の説明において、ＰＵＳＣＨの送信は、ＰＵＳＣＨとＵＬ−ＤＭＲＳを多重して送信することも含む。本実施形態の説明において、ＰＵＣＣＨの送信は、ＰＵＣＣＨとＵＬ−ＤＭＲＳを多重して送信することも含む。
【００７４】
ＳＲＳは、ＰＵＳＣＨまたはＰＵＣＣＨの送信に関連しない。基地局装置１は、上りリンクのチャネル状態を測定するためにＳＲＳを用いてもよい。
【００７５】
ＳＲＳは上りリンクサブフレーム内の最後のシンボルを用いて送信される。つまり、ＳＲＳは上りリンクサブフレーム内の最後のシンボルに配置される。端末装置２は、あるセルのあるシンボルにおいて、ＳＲＳと、ＰＵＣＣＨ、ＰＵＳＣＨおよび／またはＰＲＡＣＨとの同時送信を制限できる。端末装置２は、あるセルのある上りリンクサブフレームにおいて、その上りリンクサブフレーム内の最後のシンボルを除くシンボルを用いてＰＵＳＣＨおよび／またはＰＵＣＣＨを送信し、その上りリンクサブフレーム内の最後のシンボルを用いてＳＲＳを送信することができる。つまり、あるセルのある上りリンクサブフレームにおいて、端末装置２は、ＳＲＳと、ＰＵＳＣＨおよびＰＵＣＣＨと、を送信することができる。
【００７６】
ＳＲＳにおいて、トリガータイプの異なるＳＲＳとして、トリガータイプ０ＳＲＳおよびトリガータイプ１ＳＲＳが定義される。トリガータイプ０ＳＲＳは、上位層シグナリングによって、トリガータイプ０ＳＲＳに関するパラメータが設定される場合に送信される。トリガータイプ１ＳＲＳは、上位層シグナリングによって、トリガータイプ１ＳＲＳに関するパラメータが設定され、ＤＣＩフォーマット０、１Ａ、２Ｂ、２Ｃ、２Ｄ、または４に含まれるＳＲＳリクエストによって送信が要求された場合に送信される。なお、ＳＲＳリクエストは、ＤＣＩフォーマット０、１Ａ、または４についてはＦＤＤとＴＤＤの両方に含まれ、ＤＣＩフォーマット２Ｂ、２Ｃ、または２ＤについてはＴＤＤにのみ含まれる。同じサービングセルの同じサブフレームでトリガータイプ０ＳＲＳの送信とトリガータイプ１ＳＲＳの送信が生じる場合、トリガータイプ１ＳＲＳの送信が優先される。トリガータイプ０ＳＲＳは、周期的ＳＲＳとも呼称される。トリガータイプ１ＳＲＳは、非周期的ＳＲＳとも呼称される。
【００７７】
＜本実施形態における基地局装置１の構成例＞
図８は、本実施形態の基地局装置１の構成を示す概略ブロック図である。図示するように、基地局装置１は、上位層処理部１０１、制御部１０３、受信部１０５、送信部１０７、および、送受信アンテナ１０９、を含んで構成される。また、受信部１０５は、復号化部１０５１、復調部１０５３、多重分離部１０５５、無線受信部１０５７、およびチャネル測定部１０５９を含んで構成される。また、送信部１０７は、符号化部１０７１、変調部１０７３、多重部１０７５、無線送信部１０７７、および下りリンク参照信号生成部１０７９を含んで構成される。
【００７８】
既に説明したように、基地局装置１は、１つ以上のＲＡＴをサポートできる。図８に示す基地局装置１に含まれる各部の一部または全部は、ＲＡＴに応じて個別に構成されうる。例えば、受信部１０５および送信部１０７は、ＬＴＥとＮＲとで個別に構成される。また、ＮＲセルにおいて、図８に示す基地局装置１に含まれる各部の一部または全部は、送信信号に関するパラメータセットに応じて個別に構成されうる。例えば、あるＮＲセルにおいて、無線受信部１０５７および無線送信部１０７７は、送信信号に関するパラメータセットに応じて個別に構成されうる。
【００７９】
上位層処理部１０１は、媒体アクセス制御（MAC:  Medium  Access  Control）層、パケットデータ統合プロトコル（Packet  Data  Convergence  Protocol:  PDCP）層、無線リンク制御（Radio  Link  Control:  RLC）層、無線リソース制御（Radio  Resource  Control:  RRC）層の処理を行う。また、上位層処理部１０１は、受信部１０５、および送信部１０７の制御を行うために制御情報を生成し、制御部１０３に出力する。
【００８０】
制御部１０３は、上位層処理部１０１からの制御情報に基づいて、受信部１０５および送信部１０７の制御を行う。制御部１０３は、上位層処理部１０１への制御情報を生成し、上位層処理部１０１に出力する。制御部１０３は、復号化部１０５１からの復号化された信号およびチャネル測定部１０５９からのチャネル推定結果を入力する。制御部１０３は、符号化する信号を符号化部１０７１へ出力する。また、制御部１０３は、基地局装置１の全体または一部を制御するために用いられる。
【００８１】
上位層処理部１０１は、ＲＡＴ制御、無線リソース制御、サブフレーム設定、スケジューリング制御、および／または、ＣＳＩ報告制御に関する処理および管理を行う。上位層処理部１０１における処理および管理は、端末装置毎、または基地局装置に接続している端末装置共通に行われる。上位層処理部１０１における処理および管理は、上位層処理部１０１のみで行われてもよいし、上位ノードまたは他の基地局装置から取得してもよい。また、上位層処理部１０１における処理および管理は、ＲＡＴに応じて個別に行われてもよい。例えば、上位層処理部１０１は、ＬＴＥにおける処理および管理と、ＮＲにおける処理および管理とを個別に行う。
【００８２】
上位層処理部１０１におけるＲＡＴ制御では、ＲＡＴに関する管理が行われる。例えば、ＲＡＴ制御では、ＬＴＥに関する管理および／またはＮＲに関する管理が行われる。ＮＲに関する管理は、ＮＲセルにおける送信信号に関するパラメータセットの設定および処理を含む。
【００８３】
上位層処理部１０１における無線リソース制御では、下りリンクデータ（トランスポートブロック）、システムインフォメーション、ＲＲＣメッセージ（ＲＲＣパラメータ）、および／または、ＭＡＣ制御エレメント（ＣＥ：Control  Element）の生成および／または管理が行われる。
【００８４】
上位層処理部１０１におけるサブフレーム設定では、サブフレーム設定、サブフレームパターン設定、上りリンク−下りリンク設定、上りリンク参照ＵＬ−ＤＬ設定、および／または、下りリンク参照ＵＬ−ＤＬ設定の管理が行われる。なお、上位層処理部１０１におけるサブフレーム設定は、基地局サブフレーム設定とも呼称される。また、上位層処理部１０１におけるサブフレーム設定は、上りリンクのトラフィック量および下りリンクのトラフィック量に基づいて決定できる。また、上位層処理部１０１におけるサブフレーム設定は、上位層処理部１０１におけるスケジューリング制御のスケジューリング結果に基づいて決定できる。
【００８５】
上位層処理部１０１におけるスケジューリング制御では、受信したチャネル状態情報およびチャネル測定部１０５９から入力された伝搬路の推定値やチャネルの品質などに基づいて、物理チャネルを割り当てる周波数およびサブフレーム、物理チャネルの符号化率および変調方式および送信電力などが決定される。例えば、制御部１０３は、上位層処理部１０１におけるスケジューリング制御のスケジューリング結果に基づいて、制御情報（ＤＣＩフォーマット）を生成する。
【００８６】
上位層処理部１０１におけるＣＳＩ報告制御では、端末装置２のＣＳＩ報告が制御される。例えば、端末装置２においてＣＳＩを算出するために想定するためのＣＳＩ参照リソースに関する設定が制御される。
【００８７】
受信部１０５は、制御部１０３からの制御に従って、送受信アンテナ１０９を介して端末装置２から送信された信号を受信し、さらに分離、復調、復号などの受信処理を行い、受信処理された情報を制御部１０３に出力する。なお、受信部１０５における受信処理は、あらかじめ規定された設定、または基地局装置１が端末装置２に通知した設定に基づいて行われる。
【００８８】
無線受信部１０５７は、送受信アンテナ１０９を介して受信された上りリンクの信号に対して、中間周波数への変換（ダウンコンバート）、不要な周波数成分の除去、信号レベルが適切に維持されるように増幅レベルの制御、受信された信号の同相成分および直交成分に基づく直交復調、アナログ信号からディジタル信号への変換、ガードインターバル（Guard  Interval:  GI）の除去、および／または、高速フーリエ変換（Fast  Fourier  Transform:  FFT）による周波数領域信号の抽出を行う。
【００８９】
多重分離部１０５５は、無線受信部１０５７から入力された信号から、ＰＵＣＣＨまたはＰＵＳＣＨなどの上りリンクチャネルおよび／または上りリンク参照信号を分離する。多重分離部１０５５は、上りリンク参照信号をチャネル測定部１０５９に出力する。多重分離部１０５５は、チャネル測定部１０５９から入力された伝搬路の推定値から、上りリンクチャネルに対する伝搬路の補償を行う。
【００９０】
復調部１０５３は、上りリンクチャネルの変調シンボルに対して、ＢＰＳＫ（Binary  Phase  Shift  Keying）、ＱＰＳＫ（Quadrature  Phase  shift  Keying）、１６ＱＡＭ（Quadrature  Amplitude  Modulation）、６４ＱＡＭ、２５６ＱＡＭ等の変調方式を用いて受信信号の復調を行う。復調部１０５３は、ＭＩＭＯ多重された上りリンクチャネルの分離および復調を行う。
【００９１】
復号化部１０５１は、復調された上りリンクチャネルの符号化ビットに対して、復号処理を行う。復号された上りリンクデータおよび／または上りリンク制御情報は制御部１０３へ出力される。復号化部１０５１は、ＰＵＳＣＨに対しては、トランスポートブロック毎に復号処理を行う。
【００９２】
チャネル測定部１０５９は、多重分離部１０５５から入力された上りリンク参照信号から伝搬路の推定値および／またはチャネルの品質などを測定し、多重分離部１０５５および／または制御部１０３に出力する。例えば、チャネル測定部１０５９は、ＵＬ−ＤＭＲＳを用いてＰＵＣＣＨまたはＰＵＳＣＨに対する伝搬路補償を行うための伝搬路の推定値を測定し、ＳＲＳを用いて上りリンクにおけるチャネルの品質を測定する。
【００９３】
送信部１０７は、制御部１０３からの制御に従って、上位層処理部１０１から入力された下りリンク制御情報および下りリンクデータに対して、符号化、変調および多重などの送信処理を行う。例えば、送信部１０７は、ＰＨＩＣＨ、ＰＤＣＣＨ、ＥＰＤＣＣＨ、ＰＤＳＣＨ、および下りリンク参照信号を生成および多重し、送信信号を生成する。なお、送信部１０７における送信処理は、あらかじめ規定された設定、基地局装置１が端末装置２に通知した設定、または、同一のサブフレームで送信されるＰＤＣＣＨまたはＥＰＤＣＣＨを通じて通知される設定に基づいて行われる。
【００９４】
符号化部１０７１は、制御部１０３から入力されたＨＡＲＱインディケータ（ＨＡＲＱ−ＡＣＫ）、下りリンク制御情報、および下りリンクデータを、ブロック符号化、畳込み符号化、ターボ符号化等の所定の符号化方式を用いて符号化を行う。変調部１０７３は、符号化部１０７１から入力された符号化ビットをＢＰＳＫ、ＱＰＳＫ、１６ＱＡＭ、６４ＱＡＭ、２５６ＱＡＭ等の所定の変調方式で変調する。下りリンク参照信号生成部１０７９は、物理セル識別子（ＰＣＩ：Physical  cell  identification）、端末装置２に設定されたＲＲＣパラメータなどに基づいて、下りリンク参照信号を生成する。多重部１０７５は、各チャネルの変調シンボルと下りリンク参照信号を多重し、所定のリソースエレメントに配置する。
【００９５】
無線送信部１０７７は、多重部１０７５からの信号に対して、逆高速フーリエ変換（Inverse  Fast  Fourier  Transform:  IFFT）による時間領域の信号への変換、ガードインターバルの付加、ベースバンドのディジタル信号の生成、アナログ信号への変換、直交変調、中間周波数の信号から高周波数の信号への変換（アップコンバート:  up  convert）、余分な周波数成分の除去、電力の増幅などの処理を行い、送信信号を生成する。無線送信部１０７７が出力した送信信号は、送受信アンテナ１０９から送信される。
【００９６】
＜本実施形態における端末装置２の構成例＞
図９は、本実施形態の端末装置２の構成を示す概略ブロック図である。図示するように、端末装置２は、上位層処理部２０１、制御部２０３、受信部２０５、送信部２０７、および送受信アンテナ２０９を含んで構成される。また、受信部２０５は、復号化部２０５１、復調部２０５３、多重分離部２０５５、無線受信部２０５７、およびチャネル測定部２０５９を含んで構成される。また、送信部２０７は、符号化部２０７１、変調部２０７３、多重部２０７５、無線送信部２０７７、および上りリンク参照信号生成部２０７９を含んで構成される。
【００９７】
既に説明したように、端末装置２は、１つ以上のＲＡＴをサポートできる。図９に示す端末装置２に含まれる各部の一部または全部は、ＲＡＴに応じて個別に構成されうる。例えば、受信部２０５および送信部２０７は、ＬＴＥとＮＲとで個別に構成される。また、ＮＲセルにおいて、図９に示す端末装置２に含まれる各部の一部または全部は、送信信号に関するパラメータセットに応じて個別に構成されうる。例えば、あるＮＲセルにおいて、無線受信部２０５７および無線送信部２０７７は、送信信号に関するパラメータセットに応じて個別に構成されうる。
【００９８】
上位層処理部２０１は、上りリンクデータ（トランスポートブロック）を、制御部２０３に出力する。上位層処理部２０１は、媒体アクセス制御（MAC:  Medium  Access  Control）層、パケットデータ統合プロトコル（Packet  Data  Convergence  Protocol:  PDCP）層、無線リンク制御（Radio  Link  Control:  RLC）層、無線リソース制御（Radio  Resource  Control:  RRC）層の処理を行なう。また、上位層処理部２０１は、受信部２０５、および送信部２０７の制御を行うために制御情報を生成し、制御部２０３に出力する。
【００９９】
制御部２０３は、上位層処理部２０１からの制御情報に基づいて、受信部２０５および送信部２０７の制御を行う。制御部２０３は、上位層処理部２０１への制御情報を生成し、上位層処理部２０１に出力する。制御部２０３は、復号化部２０５１からの復号化された信号およびチャネル測定部２０５９からのチャネル推定結果を入力する。制御部２０３は、符号化する信号を符号化部２０７１へ出力する。また、制御部２０３は、端末装置２の全体または一部を制御するために用いられてもよい。
【０１００】
上位層処理部２０１は、ＲＡＴ制御、無線リソース制御、サブフレーム設定、スケジューリング制御、および／または、ＣＳＩ報告制御に関する処理および管理を行う。上位層処理部２０１における処理および管理は、あらかじめ規定される設定、および／または、基地局装置１から設定または通知される制御情報に基づく設定に基づいて行われる。例えば、基地局装置１からの制御情報は、ＲＲＣパラメータ、ＭＡＣ制御エレメントまたはＤＣＩを含む。また、上位層処理部２０１における処理および管理は、ＲＡＴに応じて個別に行われてもよい。例えば、上位層処理部２０１は、ＬＴＥにおける処理および管理と、ＮＲにおける処理および管理とを個別に行う。
【０１０１】
上位層処理部２０１におけるＲＡＴ制御では、ＲＡＴに関する管理が行われる。例えば、ＲＡＴ制御では、ＬＴＥに関する管理および／またはＮＲに関する管理が行われる。ＮＲに関する管理は、ＮＲセルにおける送信信号に関するパラメータセットの設定および処理を含む。
【０１０２】
上位層処理部２０１における無線リソース制御では、自装置における設定情報の管理が行われる。上位層処理部２０１における無線リソース制御では、上りリンクデータ（トランスポートブロック）、システムインフォメーション、ＲＲＣメッセージ（ＲＲＣパラメータ）、および／または、ＭＡＣ制御エレメント（ＣＥ：Control  Element）の生成および／または管理が行われる。
【０１０３】
上位層処理部２０１におけるサブフレーム設定では、基地局装置１および／または基地局装置１とは異なる基地局装置におけるサブフレーム設定が管理される。サブフレーム設定は、サブフレームに対する上りリンクまたは下りリンクの設定、サブフレームパターン設定、上りリンク−下りリンク設定、上りリンク参照ＵＬ−ＤＬ設定、および／または、下りリンク参照ＵＬ−ＤＬ設定を含む。なお、上位層処理部２０１におけるサブフレーム設定は、端末サブフレーム設定とも呼称される。
【０１０４】
上位層処理部２０１におけるスケジューリング制御では、基地局装置１からのＤＣＩ（スケジューリング情報）に基づいて、受信部２０５および送信部２０７に対するスケジューリングに関する制御を行うための制御情報が生成される。
【０１０５】
上位層処理部２０１におけるＣＳＩ報告制御では、基地局装置１に対するＣＳＩの報告に関する制御が行われる。例えば、ＣＳＩ報告制御では、チャネル測定部２０５９でＣＳＩを算出するために想定するためのＣＳＩ参照リソースに関する設定が制御される。ＣＳＩ報告制御では、ＤＣＩおよび／またはＲＲＣパラメータに基づいて、ＣＳＩを報告するために用いられるリソース（タイミング）を制御する。
【０１０６】
受信部２０５は、制御部２０３からの制御に従って、送受信アンテナ２０９を介して基地局装置１から送信された信号を受信し、さらに分離、復調、復号などの受信処理を行い、受信処理された情報を制御部２０３に出力する。なお、受信部２０５における受信処理は、あらかじめ規定された設定、または基地局装置１からの通知または設定に基づいて行われる。
【０１０７】
無線受信部２０５７は、送受信アンテナ２０９を介して受信された上りリンクの信号に対して、中間周波数への変換（ダウンコンバート）、不要な周波数成分の除去、信号レベルが適切に維持されるように増幅レベルの制御、受信された信号の同相成分および直交成分に基づく直交復調、アナログ信号からディジタル信号への変換、ガードインターバル（Guard  Interval:  GI）の除去、および／または、高速フーリエ変換（Fast  Fourier  Transform:  FFT）による周波数領域の信号の抽出を行う。
【０１０８】
多重分離部２０５５は、無線受信部２０５７から入力された信号から、ＰＨＩＣＨ、ＰＤＣＣＨ、ＥＰＤＣＣＨまたはＰＤＳＣＨなどの下りリンクチャネル、下りリンク同期信号および／または下りリンク参照信号を分離する。多重分離部２０５５は、下りリンク参照信号をチャネル測定部２０５９に出力する。多重分離部２０５５は、チャネル測定部２０５９から入力された伝搬路の推定値から、下りリンクチャネルに対する伝搬路の補償を行う。
【０１０９】
復調部２０５３は、下りリンクチャネルの変調シンボルに対して、ＢＰＳＫ、ＱＰＳＫ、１６ＱＡＭ、６４ＱＡＭ、２５６ＱＡＭ等の変調方式を用いて受信信号の復調を行う。復調部２０５３は、ＭＩＭＯ多重された下りリンクチャネルの分離および復調を行う。
【０１１０】
復号化部２０５１は、復調された下りリンクチャネルの符号化ビットに対して、復号処理を行う。復号された下りリンクデータおよび／または下りリンク制御情報は制御部２０３へ出力される。復号化部２０５１は、ＰＤＳＣＨに対しては、トランスポートブロック毎に復号処理を行う。
【０１１１】
チャネル測定部２０５９は、多重分離部２０５５から入力された下りリンク参照信号から伝搬路の推定値および／またはチャネルの品質などを測定し、多重分離部２０５５および／または制御部２０３に出力する。チャネル測定部２０５９が測定に用いる下りリンク参照信号は、少なくともＲＲＣパラメータによって設定される送信モードおよび／または他のＲＲＣパラメータに基づいて決定されてもよい。例えば、ＤＬ−ＤＭＲＳはＰＤＳＣＨまたはＥＰＤＣＣＨに対する伝搬路補償を行うための伝搬路の推定値を測定する。ＣＲＳはＰＤＣＣＨまたはＰＤＳＣＨに対する伝搬路補償を行うための伝搬路の推定値、および／または、ＣＳＩを報告するための下りリンクにおけるチャネルを測定する。ＣＳＩ−ＲＳは、ＣＳＩを報告するための下りリンクにおけるチャネルを測定する。チャネル測定部２０５９は、ＣＲＳ、ＣＳＩ−ＲＳまたは検出信号に基づいて、ＲＳＲＰ（Reference  Signal  Received  Power）および／またはＲＳＲＱ（Reference  Signal  Received  Quality）を算出し、上位層処理部２０１へ出力する。
【０１１２】
送信部２０７は、制御部２０３からの制御に従って、上位層処理部２０１から入力された上りリンク制御情報および上りリンクデータに対して、符号化、変調および多重などの送信処理を行う。例えば、送信部２０７は、ＰＵＳＣＨまたはＰＵＣＣＨなどの上りリンクチャネルおよび／または上りリンク参照信号を生成および多重し、送信信号を生成する。なお、送信部２０７における送信処理は、あらかじめ規定された設定、または、基地局装置１から設定または通知に基づいて行われる。
【０１１３】
符号化部２０７１は、制御部２０３から入力されたＨＡＲＱインディケータ（ＨＡＲＱ−ＡＣＫ）、上りリンク制御情報、および上りリンクデータを、ブロック符号化、畳込み符号化、ターボ符号化等の所定の符号化方式を用いて符号化を行う。変調部２０７３は、符号化部２０７１から入力された符号化ビットをＢＰＳＫ、ＱＰＳＫ、１６ＱＡＭ、６４ＱＡＭ、２５６ＱＡＭ等の所定の変調方式で変調する。上りリンク参照信号生成部２０７９は、端末装置２に設定されたＲＲＣパラメータなどに基づいて、上りリンク参照信号を生成する。多重部２０７５は、各チャネルの変調シンボルと上りリンク参照信号を多重し、所定のリソースエレメントに配置する。
【０１１４】
無線送信部２０７７は、多重部２０７５からの信号に対して、逆高速フーリエ変換（Inverse  Fast  Fourier  Transform:  IFFT）による時間領域の信号への変換、ガードインターバルの付加、ベースバンドのディジタル信号の生成、アナログ信号への変換、直交変調、中間周波数の信号から高周波数の信号への変換（アップコンバート:  up  convert）、余分な周波数成分の除去、電力の増幅などの処理を行い、送信信号を生成する。無線送信部２０７７が出力した送信信号は、送受信アンテナ２０９から送信される。
【０１１５】
＜本実施形態における制御情報のシグナリング＞
基地局装置１および端末装置２は、それぞれ制御情報のシグナリング（通知、報知、設定）のために、様々な方法を用いることができる。制御情報のシグナリングは、様々な層（レイヤー）で行うことができる。制御情報のシグナリングは、物理層（レイヤー）を通じたシグナリングである物理層シグナリング、ＲＲＣ層を通じたシグナリングであるＲＲＣシグナリング、および、ＭＡＣ層を通じたシグナリングであるＭＡＣシグナリングなどを含む。ＲＲＣシグナリングは、端末装置２に固有の制御情報を通知する専用のＲＲＣシグナリング（Dedicated  RRC  signaling）、または、基地局装置１に固有の制御情報を通知する共通のＲＲＣシグナリング（Common  RRC  signaling）である。ＲＲＣシグナリングやＭＡＣシグナリングなど、物理層から見て上位の層が用いるシグナリングは上位層シグナリングとも呼称される。
【０１１６】
ＲＲＣシグナリングは、ＲＲＣパラメータをシグナリングすることにより実現される。ＭＡＣシグナリングは、ＭＡＣ制御エレメントをシグナリングすることにより実現される。物理層シグナリングは、下りリンク制御情報（ＤＣＩ：Downlink  Control  Information）または上りリンクリンク制御情報（ＵＣＩ：Uplink  Control  Information）をシグナリングすることにより実現される。ＲＲＣパラメータおよびＭＡＣ制御エレメントは、ＰＤＳＣＨまたはＰＵＳＣＨを用いて送信される。ＤＣＩは、ＰＤＣＣＨまたはＥＰＤＣＣＨを用いて送信される。ＵＣＩは、ＰＵＣＣＨまたはＰＵＳＣＨを用いて送信される。ＲＲＣシグナリングおよびＭＡＣシグナリングは、準静的（semi-static）な制御情報をシグナリングするために用いられ、準静的シグナリングとも呼称される。物理層シグナリングは、動的（dynamic）な制御情報をシグナリングするために用いられ、動的シグナリングとも呼称される。ＤＣＩは、ＰＤＳＣＨのスケジューリングまたはＰＵＳＣＨのスケジューリングなどのために用いられる。ＵＣＩは、ＣＳＩ報告、ＨＡＲＱ−ＡＣＫ報告、および／またはスケジューリング要求（ＳＲ：Scheduling  Request）などのために用いられる。
【０１１７】
＜本実施形態における下りリンク制御情報の詳細＞
ＤＣＩはあらかじめ規定されるフィールドを有するＤＣＩフォーマットを用いて通知される。ＤＣＩフォーマットに規定されるフィールドは、所定の情報ビットがマッピングされる。ＤＣＩは、下りリンクスケジューリング情報、上りリンクスケジューリング情報、サイドリンクスケジューリング情報、非周期的ＣＳＩ報告の要求、または、上りリンク送信電力コマンドを通知する。
【０１１８】
端末装置２がモニタするＤＣＩフォーマットは、サービングセル毎に設定された送信モードによって決まる。すなわち、端末装置２がモニタするＤＣＩフォーマットの一部は、送信モードによって異なることができる。例えば、下りリンク送信モード１が設定された端末装置２は、ＤＣＩフォーマット１ＡとＤＣＩフォーマット１をモニタする。例えば、下りリンク送信モード４が設定された端末装置２は、ＤＣＩフォーマット１ＡとＤＣＩフォーマット２をモニタする。例えば、上りリンク送信モード１が設定された端末装置２は、ＤＣＩフォーマット０をモニタする。例えば、上りリンク送信モード２が設定された端末装置２は、ＤＣＩフォーマット０とＤＣＩフォーマット４をモニタする。
【０１１９】
端末装置２に対するＤＣＩを通知するＰＤＣＣＨが配置される制御領域は通知されず、端末装置２は端末装置２に対するＤＣＩをブラインドデコーディング（ブラインド検出）により検出する。具体的には、端末装置２は、サービングセルにおいて、ＰＤＣＣＨ候補のセットをモニタする。モニタリングは、そのセットの中のＰＤＣＣＨのそれぞれに対して、全てのモニタされるＤＣＩフォーマットによって復号を試みることを意味する。例えば、端末装置２は、端末装置２宛に送信される可能性がある全てのアグリゲーションレベル、ＰＤＣＣＨ候補、および、ＤＣＩフォーマットについてデコードを試みる。端末装置２は、デコード（検出）が成功したＤＣＩ（ＰＤＣＣＨ）を端末装置２に対するＤＣＩ（ＰＤＣＣＨ）として認識する。
【０１２０】
ＤＣＩに対して、巡回冗長検査（ＣＲＣ:  Cyclic  Redundancy  Check）が付加される。ＣＲＣは、ＤＣＩのエラー検出およびＤＣＩのブラインド検出のために用いられる。ＣＲＣ（ＣＲＣパリティビット）は、ＲＮＴＩ（Radio  Network  Temporary  Identifier）によってスクランブルされる。端末装置２は、ＲＮＴＩに基づいて、端末装置２に対するＤＣＩかどうかを検出する。具体的には、端末装置２は、ＣＲＣに対応するビットに対して、所定のＲＮＴＩでデスクランブルを行い、ＣＲＣを抽出し、対応するＤＣＩが正しいかどうかを検出する。
【０１２１】
ＲＮＴＩは、ＤＣＩの目的や用途に応じて規定または設定される。ＲＮＴＩは、Ｃ−ＲＮＴＩ（Cell-RNTI）、ＳＰＳ  Ｃ−ＲＮＴＩ（Semi  Persistent  Scheduling  C-RNTI）、ＳＩ−ＲＮＴＩ（System  Information-RNTI）、Ｐ−ＲＮＴＩ（Paging-RNTI）、ＲＡ−ＲＮＴＩ（Random  Access-RNTI）、ＴＰＣ−ＰＵＣＣＨ−ＲＮＴＩ（Transmit  Power  Control-PUCCH-RNTI）、ＴＰＣ−ＰＵＳＣＨ−ＲＮＴＩ（Transmit  Power  Control-PUSCH-RNTI）、一時的Ｃ−ＲＮＴＩ、Ｍ−ＲＮＴＩ（MBMS  (Multimedia  Broadcast  Multicast  Services)  -RNTI）、および、ｅＩＭＴＡ−ＲＮＴＩ、ＣＣ−ＲＮＴＩを含む。
【０１２２】
Ｃ−ＲＮＴＩおよびＳＰＳ  Ｃ−ＲＮＴＩは、基地局装置１（セル）内において端末装置２に固有のＲＮＴＩであり、端末装置２を識別するための識別子である。Ｃ−ＲＮＴＩは、あるサブフレームにおけるＰＤＳＣＨまたはＰＵＳＣＨをスケジューリングするために用いられる。ＳＰＳ  Ｃ−ＲＮＴＩは、ＰＤＳＣＨまたはＰＵＳＣＨのためのリソースの周期的なスケジューリングをアクティベーションまたはリリースするために用いられる。ＳＩ−ＲＮＴＩでスクランブルされたＣＲＣを有する制御チャネルは、ＳＩＢ（System  Information  Block）をスケジューリングするために用いられる。Ｐ−ＲＮＴＩでスクランブルされたＣＲＣを有する制御チャネルは、ページングを制御するために用いられる。ＲＡ−ＲＮＴＩでスクランブルされたＣＲＣを有する制御チャネルは、ＲＡＣＨに対するレスポンスをスケジューリングするために用いられる。ＴＰＣ−ＰＵＣＣＨ−ＲＮＴＩでスクランブルされたＣＲＣを有する制御チャネルは、ＰＵＣＣＨの電力制御を行うために用いられる。ＴＰＣ−ＰＵＳＣＨ−ＲＮＴＩでスクランブルされたＣＲＣを有する制御チャネルは、ＰＵＳＣＨの電力制御を行うために用いられる。Ｔｅｍｐｏｒａｒｙ  Ｃ−ＲＮＴＩでスクランブルされたＣＲＣを有する制御チャネルは、Ｃ−ＲＮＴＩが設定または認識されていない移動局装置によって用いられる。Ｍ−ＲＮＴＩでスクランブルされたＣＲＣを有する制御チャネルは、ＭＢＭＳをスケジューリングするために用いられる。ｅＩＭＴＡ−ＲＮＴＩでスクランブルされたＣＲＣを有する制御チャネルは、動的ＴＤＤ（ｅＩＭＴＡ）において、ＴＤＤサービングセルのＴＤＤ  ＵＬ／ＤＬ設定に関する情報を通知するために用いられる。ＣＣ−ＲＮＴＩでスクランブルされたＣＲＣを有する制御チャネル（ＤＣＩ）は、ＬＡＡセカンダリーセルにおいて、専有ＯＦＤＭシンボルの設定を通知するために用いられる。なお、上記のＲＮＴＩに限らず、新たなＲＮＴＩによってＤＣＩフォーマットがスクランブルされてもよい。
【０１２３】
スケジューリング情報（下りリンクスケジューリング情報、上りリンクスケジューリング情報、サイドリンクスケジューリング情報）は、周波数領域のスケジューリングとして、リソースブロックまたはリソースブロックグループを単位にスケジューリングを行うための情報を含む。リソースブロックグループは、連続するリソースブロックのセットであり、スケジューリングされる端末装置に対する割り当てられるリソースを示す。リソースブロックグループのサイズは、システム帯域幅に応じて決まる。
【０１２４】
＜本実施形態における下りリンク制御チャネルの詳細＞
ＤＣＩはＰＤＣＣＨまたはＥＰＤＣＣＨなどの制御チャネルを用いて送信される。端末装置２は、ＲＲＣシグナリングによって設定された１つまたは複数のアクティベートされたサービングセルのＰＤＣＣＨ候補のセットおよび／またはＥＰＤＣＣＨ候補のセットをモニタする。ここで、モニタリングとは、全てのモニタされるＤＣＩフォーマットに対応するセット内のＰＤＣＣＨおよび／またはＥＰＤＣＣＨのデコードを試みることである。
【０１２５】
ＰＤＣＣＨ候補のセットまたはＥＰＤＣＣＨ候補のセットは、サーチスペースとも呼称される。サーチスペースには、共有サーチスペース（ＣＳＳ）と端末固有サーチスペース（ＵＳＳ）が定義される。ＣＳＳは、ＰＤＣＣＨに関するサーチスペースのみに対して定義されてもよい。
【０１２６】
ＣＳＳ（Common  Search  Space）は、基地局装置１に固有のパラメータおよび／または予め規定されたパラメータに基づいて設定されるサーチスペースである。例えば、ＣＳＳは、複数の端末装置で共通に用いられるサーチスペースである。そのため、基地局装置１が複数の端末装置で共通の制御チャネルをＣＳＳにマッピングすることにより、制御チャネルを送信するためのリソースが低減される。
【０１２７】
ＵＳＳ（UE-specific  Search  Space）は、少なくとも端末装置２に固有のパラメータを用いて設定されるサーチスペースである。そのため、ＵＳＳは、端末装置２に固有のサーチスペースであり、基地局装置１はＵＳＳによって端末装置２に固有の制御チャネルを個別に送信することができる。そのため、基地局装置１は複数の端末装置に固有の制御チャネルを効率的にマッピングできる。
【０１２８】
ＵＳＳは、複数の端末装置に共通に用いられるように設定されてもよい。複数の端末装置に対して共通のＵＳＳが設定されるために、端末装置２に固有のパラメータは、複数の端末装置の間で同じ値になるように設定される。例えば、複数の端末装置の間で同じパラメータに設定される単位は、セル、送信点、または所定の端末装置のグループなどである。
【０１２９】
アグリゲーションレベル毎のサーチスペースはＰＤＣＣＨ候補のセットによって定義される。ＰＤＣＣＨのそれぞれは、１つ以上のＣＣＥ（Control  Channel  Element）の集合を用いて送信される。１つのＰＤＣＣＨに用いられるＣＣＥの数は、アグリゲーションレベルとも呼称される。例えば、１つのＰＤＣＣＨに用いられるＣＣＥの数は、１、２、４または８である。
【０１３０】
アグリゲーションレベル毎のサーチスペースはＥＰＤＣＣＨ候補のセットによって定義される。ＥＰＤＣＣＨのそれぞれは、１つ以上のＥＣＣＥ（Enhanced  Control  Channel  Element）の集合を用いて送信される。１つのＥＰＤＣＣＨに用いられるＥＣＣＥの数は、アグリゲーションレベルとも呼称される。例えば、１つのＥＰＤＣＣＨに用いられるＥＣＣＥの数は、１、２、４、８、１６または３２である。
【０１３１】
ＰＤＣＣＨ候補の数またはＥＰＤＣＣＨ候補の数は、少なくともサーチスペースおよびアグリゲーションレベルに基づいて決まる。例えば、ＣＳＳにおいて、アグリゲーションレベル４および８におけるＰＤＣＣＨ候補の数はそれぞれ４および２である。例えば、ＵＳＳにおいて、アグリゲーション１、２、４および８におけるＰＤＣＣＨ候補の数はそれぞれ６、６、２および２である。
【０１３２】
それぞれのＥＣＣＥは、複数のＥＲＥＧ（Enhanced  resource  element  group）で構成される。ＥＲＥＧは、ＥＰＤＣＣＨのリソースエレメントに対するマッピングを定義するために用いられる。各ＲＢペアにおいて、０から１５に番号付けされる、１６個のＥＲＥＧが定義される。すなわち、各ＲＢペアにおいて、ＥＲＥＧ０〜ＥＲＥＧ１５が定義される。各ＲＢペアにおいて、ＥＲＥＧ０〜ＥＲＥＧ１５は、所定の信号および／またはチャネルがマッピングされるリソースエレメント以外のリソースエレメントに対して、周波数方向を優先して、周期的に定義される。例えば、アンテナポート１０７〜１１０で送信されるＥＰＤＣＣＨに関連付けられる復調用参照信号がマッピングされるリソースエレメントは、ＥＲＥＧとして定義されない。
【０１３３】
１つのＥＰＤＣＣＨに用いられるＥＣＣＥの数は、ＥＰＤＣＣＨフォーマットに依存し、他のパラメータに基づいて決定される。１つのＥＰＤＣＣＨに用いられるＥＣＣＥの数は、アグリゲーションレベルとも呼称される。例えば、１つのＥＰＤＣＣＨに用いられるＥＣＣＥの数は、１つのＲＢペアにおけるＥＰＤＣＣＨ送信に用いることができるリソースエレメントの数、ＥＰＤＣＣＨの送信方法などに基づいて、決定される。例えば、１つのＥＰＤＣＣＨに用いられるＥＣＣＥの数は、１、２、４、８、１６または３２である。また、１つのＥＣＣＥに用いられるＥＲＥＧの数は、サブフレームの種類およびサイクリックプレフィックスの種類に基づいて決定され、４または８である。ＥＰＤＣＣＨの送信方法として、分散送信（Distributed  transmission）および局所送信（Localized  transmission）がサポートされる。
【０１３４】
ＥＰＤＣＣＨは、分散送信または局所送信を用いることができる。分散送信および局所送信は、ＥＲＥＧおよびＲＢペアに対するＥＣＣＥのマッピングが異なる。例えば、分散送信において、１つのＥＣＣＥは、複数のＲＢペアのＥＲＥＧを用いて構成される。局所送信において、１つのＥＣＣＥは、１つのＲＢペアのＥＲＥＧを用いて構成される。
【０１３５】
基地局装置１は、端末装置２に対して、ＥＰＤＣＣＨに関する設定を行う。端末装置２は、基地局装置１からの設定に基づいて、複数のＥＰＤＣＣＨをモニタリングする。端末装置２がＥＰＤＣＣＨをモニタリングするＲＢペアのセットが、設定されうる。そのＲＢペアのセットは、ＥＰＤＣＣＨセットまたはＥＰＤＣＣＨ−ＰＲＢセットとも呼称される。１つの端末装置２に対して、１つ以上のＥＰＤＣＣＨセットが設定できる。各ＥＰＤＣＣＨセットは、１つ以上のＲＢペアで構成される。また、ＥＰＤＣＣＨに関する設定は、ＥＰＤＣＣＨセット毎に個別に行うことができる。
【０１３６】
基地局装置１は、端末装置２に対して、所定数のＥＰＤＣＣＨセットを設定できる。例えば、２つまでのＥＰＤＣＣＨセットが、ＥＰＤＣＣＨセット０および／またはＥＰＤＣＣＨセット１として、設定できる。ＥＰＤＣＣＨセットのそれぞれは、所定数のＲＢペアで構成できる。各ＥＰＤＣＣＨセットは、複数のＥＣＣＥの１つのセットを構成する。１つのＥＰＤＣＣＨセットに構成されるＥＣＣＥの数は、そのＥＰＤＣＣＨセットとして設定されるＲＢペアの数、および、１つのＥＣＣＥに用いられるＥＲＥＧの数に基づいて、決定される。１つのＥＰＤＣＣＨセットに構成されるＥＣＣＥの数がＮである場合、各ＥＰＤＣＣＨセットは、０〜Ｎ−１で番号付けされたＥＣＣＥを構成する。例えば、１つのＥＣＣＥに用いられるＥＲＥＧの数が４である場合、４つのＲＢペアで構成されるＥＰＤＣＣＨセットは１６個のＥＣＣＥを構成する。
【０１３７】
＜本実施形態におけるCAとDCの詳細＞
端末装置２は複数のセルが設定され、マルチキャリア送信を行うことができる。端末装置２が複数のセルを用いる通信は、ＣＡ（キャリアアグリゲーション）またはＤＣ（デュアルコネクティビティ）と称される。本実施形態に記載の内容は、端末装置２に対して設定される複数のセルのそれぞれまたは一部に適用できる。端末装置２に設定されるセルを、サービングセルとも称する。
【０１３８】
ＣＡおいて、設定される複数のサービングセルは、１つのプライマリーセル（PCell:  Primary  Cell）と１つ以上のセカンダリーセル（SCell:  Secondary  Cell）とを含む。ＣＡをサポートしている端末装置２に対して、１つのプライマリーセルと１つ以上のセカンダリーセルが設定されうる。
【０１３９】
プライマリーセルは、初期コネクション構築（initial  connection  establishment）手続きが行なわれたサービングセル、コネクション再構築（connection  re-establishment）手続きを開始したサービングセル、または、ハンドオーバ手続きにおいてプライマリーセルと指示されたセルである。プライマリーセルは、プライマリー周波数でオペレーションする。セカンダリーセルは、コネクションの構築または再構築以降に設定されうる。セカンダリーセルは、セカンダリー周波数でオペレーションする。なお、コネクションは、ＲＲＣコネクションとも称される。
【０１４０】
ＤＣは、少なくとも２つの異なるネットワークポイントから提供される無線リソースを所定の端末装置２が消費するオペレーションである。ネットワークポイントは、マスター基地局装置（MeNB:  Master  eNB）とセカンダリー基地局装置（SeNB:  Secondary  eNB）である。デュアルコネクティビティは、端末装置２が、少なくとも２つのネットワークポイントでＲＲＣ接続を行なうことである。デュアルコネクティビティにおいて、２つのネットワークポイントは、非理想的バックホール（non-ideal  backhaul）によって接続されてもよい。
【０１４１】
ＤＣにおいて、少なくともＳ１−ＭＭＥ（Mobility  Management  Entity）に接続され、コアネットワークのモビリティアンカーの役割を果たす基地局装置１は、マスター基地局装置と称される。また、端末装置２に対して追加の無線リソースを提供するマスター基地局装置ではない基地局装置１は、セカンダリー基地局装置と称される。マスター基地局装置に関連されるサービングセルのグループは、マスターセルグループ（MCG:  Master  Cell  Group）とも呼称される。セカンダリー基地局装置に関連されるサービングセルのグループは、セカンダリーセルグループ（SCG:  Secondary  Cell  Group）とも呼称される。なお、サービングセルのグループは、セルグループ（ＣＧ）と呼称される。
【０１４２】
ＤＣにおいて、プライマリーセルは、ＭＣＧに属する。また、ＳＣＧにおいて、プライマリーセルに相当するセカンダリーセルをプライマリーセカンダリーセル（PSCell:  Primary  Secondary  Cell）と称する。ＰＳＣｅｌｌ（ｐＳＣｅｌｌを構成する基地局装置）には、ＰＣｅｌｌ（ＰＣｅｌｌを構成する基地局装置）と同等の機能（能力、性能）がサポートされてもよい。また、ＰＳＣｅｌｌには、ＰＣｅｌｌの一部の機能だけがサポートされてもよい。例えば、ＰＳＣｅｌｌには、ＣＳＳまたはＵＳＳとは異なるサーチスペースを用いて、ＰＤＣＣＨ送信を行なう機能がサポートされてもよい。また、ＰＳＣｅｌｌは、常にアクティベーションの状態であってもよい。また、ＰＳＣｅｌｌは、ＰＵＣＣＨを受信できるセルである。
【０１４３】
ＤＣにおいて、無線ベアラ（データ無線ベアラ（DRB:  Date  Radio  Bearer）および／またはシグナリング無線ベアラ（SRB:  Signaling  Radio  Bearer））は、ＭｅＮＢとＳｅＮＢで個別に割り当てられてもよい。ＭＣＧ（ＰＣｅｌｌ）とＳＣＧ（ＰＳＣｅｌｌ）に対して、それぞれ個別にデュプレックスモードが設定されてもよい。ＭＣＧ（ＰＣｅｌｌ）とＳＣＧ（ＰＳＣｅｌｌ）は、互いに同期されなくてもよい。すなわち、ＭＣＧのフレーム境界とＳＣＧのフレーム境界が一致しなくてもよい。ＭＣＧ（ＰＣｅｌｌ）とＳＣＧ（ＰＳＣｅｌｌ）に対して、複数のタイミング調整のためのパラメータ（TAG:  Timing  Advance  Group）が独立に設定されてもよい。デュアルコネクティビティにおいて、端末装置２は、ＭＣＧ内のセルに対応するＵＣＩをＭｅＮＢ（ＰＣｅｌｌ）のみで送信し、ＳＣＧ内のセルに対応するＵＣＩをＳｅＮＢ（ｐＳＣｅｌｌ）のみで送信する。それぞれのＵＣＩの送信において、ＰＵＣＣＨおよび／またはＰＵＳＣＨを用いた送信方法はそれぞれのセルグループで適用される。
【０１４４】
ＰＵＣＣＨおよびＰＢＣＨ（ＭＩＢ）は、ＰＣｅｌｌまたはＰＳＣｅｌｌのみで送信される。また、ＰＲＡＣＨは、ＣＧ内のセル間で複数のＴＡＧ（Timing  Advance  Group）が設定されない限り、ＰＣｅｌｌまたはＰＳＣｅｌｌのみで送信される。
【０１４５】
ＰＣｅｌｌまたはＰＳＣｅｌｌでは、ＳＰＳ（Semi-Persistent  Scheduling）やＤＲＸ（Discontinuous  Reception）を行ってもよい。セカンダリーセルでは、同じセルグループのＰＣｅｌｌまたはＰＳＣｅｌｌと同じＤＲＸを行ってもよい。
【０１４６】
セカンダリーセルにおいて、ＭＡＣの設定に関する情報／パラメータは、基本的に、同じセルグループのＰＣｅｌｌまたはＰＳＣｅｌｌと共有している。一部のパラメータは、セカンダリーセル毎に設定されてもよい。一部のタイマーやカウンタが、ＰＣｅｌｌまたはＰＳＣｅｌｌのみに対して適用されてもよい。
【０１４７】
ＣＡにおいて、ＴＤＤ方式が適用されるセルとＦＤＤ方式が適用されるセルが集約されてもよい。ＴＤＤが適用されるセルとＦＤＤが適用されるセルとが集約される場合に、ＴＤＤが適用されるセルおよびＦＤＤが適用されるセルのいずれか一方に対して本開示を適用することができる。
【０１４８】
端末装置２は、端末装置２によってＣＡおよび／またはＤＣがサポートされているバンド組み合わせを示す情報（supportedBandCombination）を、基地局装置１に送信する。端末装置２は、バンド組み合わせのそれぞれに対して、異なる複数のバンドにおける前記複数のサービングセルにおける同時送信および受信をサポートしているかどうかを指示する情報を、基地局装置１に送信する。
【０１４９】
＜本実施形態における端末状態の詳細＞
端末装置には、端末状態（端末モード）が定義される。
【０１５０】
端末状態の１つとして、アイドル状態（idle  state、アイドルモード、idle  mode）が定義される。アイドル状態とは、端末装置がどの基地局装置にも接続が確立されていない状態である。
【０１５１】
端末状態の１つとして、接続状態（connected  state、接続モード、connected  mode）が定義される。接続状態とは、端末装置がいずれかの基地局装置との接続が確立されている状態である。
【０１５２】
＜本実施形態におけるモビリティ状態の詳細＞
端末装置には、モビリティ状態が定義される。
【０１５３】
モビリティ状態の１つとして、高モビリティ状態（High-mobility  state）が定義される。端末装置が所定の期間にセル再選択の回数が高モビリティ状態と定める閾値よりも超えた場合に、その端末装置は高モビリティ状態となる。
【０１５４】
モビリティ状態の１つとして、中モビリティ状態（Medium-mobility  state）が定義される。端末装置が所定の期間にセル再選択の回数が中モビリティ状態と定める閾値よりも超え、かつ、高モビリティ状態と定める閾値を超えない場合に、その端末装置は高モビリティ状態となる。なお、中モビリティ状態と定める閾値は、中モビリティ状態と定める閾値よりも小さい。
【０１５５】
モビリティ状態の１つとして、通常モビリティ状態（Normal-mobility  state）が定義される。端末装置が所定の期間にセル再選択の回数が中モビリティ状態と定める閾値を超えない場合に、その端末装置は中モビリティ状態となる。
【０１５６】
＜本実施形態におけるリソース割り当ての詳細＞
基地局装置１は、端末装置２にＰＤＳＣＨおよび／またはＰＵＳＣＨのリソース割り当ての方法として、複数の方法を用いることができる。リソース割り当ての方法は、動的スケジューリング、セミパーシステントスケジューリング、マルチサブフレームスケジューリング、およびクロスサブフレームスケジューリングを含む。
【０１５７】
動的スケジューリングにおいて、１つのＤＣＩは１つのサブフレームにおけるリソース割り当てを行う。具体的には、あるサブフレームにおけるＰＤＣＣＨまたはＥＰＤＣＣＨは、そのサブフレームにおけるＰＤＳＣＨに対するスケジューリングを行う。あるサブフレームにおけるＰＤＣＣＨまたはＥＰＤＣＣＨは、そのサブフレームより後の所定のサブフレームにおけるＰＵＳＣＨに対するスケジューリングを行う。
【０１５８】
マルチサブフレームスケジューリングにおいて、１つのＤＣＩは１つ以上のサブフレームにおけるリソース割り当てを行う。具体的には、あるサブフレームにおけるＰＤＣＣＨまたはＥＰＤＣＣＨは、そのサブフレームより所定数後の１つ以上のサブフレームにおけるＰＤＳＣＨに対するスケジューリングを行う。あるサブフレームにおけるＰＤＣＣＨまたはＥＰＤＣＣＨは、そのサブフレームより所定数後の１つ以上のサブフレームにおけるＰＵＳＣＨに対するスケジューリングを行う。その所定数はゼロ以上の整数にすることができる。その所定数は、あらかじめ規定されてもよいし、物理層シグナリングおよび／またはＲＲＣシグナリングに基づいて決められてもよい。マルチサブフレームスケジューリングにおいて、連続したサブフレームがスケジューリングされてもよいし、所定の周期を有するサブフレームがスケジューリングされてもよい。スケジューリングされるサブフレームの数は、あらかじめ規定されてもよいし、物理層シグナリングおよび／またはＲＲＣシグナリングに基づいて決められてもよい。
【０１５９】
クロスサブフレームスケジューリングにおいて、１つのＤＣＩは１つのサブフレームにおけるリソース割り当てを行う。具体的には、あるサブフレームにおけるＰＤＣＣＨまたはＥＰＤＣＣＨは、そのサブフレームより所定数後の１つのサブフレームにおけるＰＤＳＣＨに対するスケジューリングを行う。あるサブフレームにおけるＰＤＣＣＨまたはＥＰＤＣＣＨは、そのサブフレームより所定数後の１つのサブフレームにおけるＰＵＳＣＨに対するスケジューリングを行う。その所定数はゼロ以上の整数にすることができる。その所定数は、あらかじめ規定されてもよいし、物理層シグナリングおよび／またはＲＲＣシグナリングに基づいて決められてもよい。クロスサブフレームスケジューリングにおいて、連続したサブフレームがスケジューリングされてもよいし、所定の周期を有するサブフレームがスケジューリングされてもよい。
【０１６０】
セミパーシステントスケジューリング（ＳＰＳ）において、１つのＤＣＩは１つ以上のサブフレームにおけるリソース割り当てを行う。端末装置２は、ＲＲＣシグナリングによってＳＰＳに関する情報が設定され、ＳＰＳを有効にするためのＰＤＣＣＨまたはＥＰＤＣＣＨを検出した場合、ＳＰＳに関する処理を有効にし、ＳＰＳに関する設定に基づいて所定のＰＤＳＣＨおよび／またはＰＵＳＣＨを受信する。端末装置２は、ＳＰＳが有効である時にＳＰＳをリリースするためのＰＤＣＣＨまたはＥＰＤＣＣＨを検出した場合、ＳＰＳをリリース（無効に）し、所定のＰＤＳＣＨおよび／またはＰＵＳＣＨの受信を止める。ＳＰＳのリリースは、所定の条件を満たした場合に基づいて行ってもよい。例えば、所定数の空送信のデータを受信した場合に、ＳＰＳはリリースされる。ＳＰＳをリリースするためのデータの空送信は、ゼロＭＡＣ  ＳＤＵ（Service  Data  Unit）を含むＭＡＣ  ＰＤＵ（Protocol  Data  Unit）に対応する。
【０１６１】
ＲＲＣシグナリングによるＳＰＳに関する情報は、ＳＰＳのＲＮＴＩであるＳＰＳ  Ｃ−ＲＮＴＩ、ＰＤＳＣＨのスケジューリングされる周期（インターバル）に関する情報、ＰＵＳＣＨのスケジューリングされる周期（インターバル）に関する情報、ＳＰＳをリリースするための設定に関する情報、および／または、ＳＰＳにおけるＨＡＲＱプロセスの番号を含む。ＳＰＳは、プライマリーセルおよび／またはプライマリーセカンダリーセルのみにサポートされる。
【０１６２】
＜本実施形態におけるＬＴＥの下りリンクリソースエレメントマッピングの詳細＞
図１０は、本実施形態におけるＬＴＥの下りリンクリソースエレメントマッピングの一例を示す図である。この例では、１つのリソースブロックおよび１つのスロットのＯＦＤＭシンボル数が７である場合において、１つのリソースブロックペアにおけるリソースエレメントの集合が示されている。また、リソースブロックペア内の時間方向に前半の７つのＯＦＤＭシンボルは、スロット０（第１のスロット）とも呼称される。リソースブロックペア内の時間方向に後半の７つのＯＦＤＭシンボルは、スロット１（第２のスロット）とも呼称される。また、各スロット（リソースブロック）におけるＯＦＤＭシンボルのそれぞれは、ＯＦＤＭシンボル番号０〜６で示される。また、リソースブロックペアにおける周波数方向のサブキャリアのそれぞれは、サブキャリア番号０〜１１で示される。なお、システム帯域幅が複数のリソースブロックで構成される場合、サブキャリア番号はそのシステム帯域幅に渡って異なるように割り当てる。例えば、システム帯域幅が６個のリソースブロックで構成される場合、サブキャリア番号０〜７１が割り当てられるサブキャリアが用いられる。なお、本実施形態の説明では、リソースエレメント（ｋ，ｌ）は、サブキャリア番号ｋとＯＦＤＭシンボル番号ｌで示されるリソースエレメントである。
【０１６３】
Ｒ０〜Ｒ３で示されるリソースエレメントは、それぞれアンテナポート０〜３のセル固有参照信号を示す。以下では、アンテナポート０〜３のセル固有参照信号はＣＲＳ（Cell-specific  RS）とも呼称される。この例では、ＣＲＳが４つのアンテナポートの場合であるが、その数を変えることができる。例えば、ＣＲＳは、１つのアンテナポートまたは２つのアンテナポートを用いることができる。また、ＣＲＳは、セルＩＤに基づいて、周波数方向へシフトすることができる。例えば、ＣＲＳは、セルＩＤを６で割った余りに基づいて、周波数方向へシフトすることができる。
【０１６４】
Ｃ１〜Ｃ４で示されるリソースエレメントは、アンテナポート１５〜２２の伝送路状況測定用参照信号（ＣＳＩ−ＲＳ）を示す。Ｃ１〜Ｃ４で示されるリソースエレメントは、それぞれＣＤＭグループ１〜ＣＤＭグループ４のＣＳＩ−ＲＳを示す。ＣＳＩ−ＲＳは、Ｗａｌｓｈ符号を用いた直交系列（直交符号）と、擬似ランダム系列を用いたスクランブル符号とで構成される。また、ＣＳＩ−ＲＳは、ＣＤＭグループ内において、それぞれＷａｌｓｈ符号等の直交符号により符号分割多重される。また、ＣＳＩ−ＲＳは、ＣＤＭグループ間において、互いに周波数分割多重（ＦＤＭ）される。
【０１６５】
アンテナポート１５および１６のＣＳＩ−ＲＳはＣ１にマッピングされる。アンテナポート１７および１８のＣＳＩ−ＲＳはＣ２にマッピングされる。アンテナポート１９および２０のＣＳＩ−ＲＳはＣ３にマッピングされる。アンテナポート２１および２２のＣＳＩ−ＲＳはＣ４にマッピングされる。
【０１６６】
ＣＳＩ−ＲＳのアンテナポート数は複数規定される。ＣＳＩ−ＲＳは、アンテナポート１５〜２２の８つのアンテナポートに対応する参照信号として設定されることができる。また、ＣＳＩ−ＲＳは、アンテナポート１５〜１８の４つのアンテナポートに対応する参照信号として設定されることができる。また、ＣＳＩ−ＲＳは、アンテナポート１５〜１６の２つのアンテナポートに対応する参照信号として設定されることができる。また、ＣＳＩ−ＲＳは、アンテナポート１５の１つのアンテナポートに対応する参照信号として設定されることができる。ＣＳＩ−ＲＳは、一部のサブフレームにマッピングされることができ、例えば、複数のサブフレーム毎にマッピングされることができる。ＣＳＩ−ＲＳのリソースエレメントに対するマッピングパターンは複数規定される。また、基地局装置１は、端末装置２に対して、複数のＣＳＩ−ＲＳを設定することができる。
【０１６７】
ＣＳＩ−ＲＳは、送信電力をゼロにすることができる。送信電力がゼロのＣＳＩ−ＲＳは、ゼロパワーＣＳＩ−ＲＳとも呼称される。ゼロパワーＣＳＩ−ＲＳは、アンテナポート１５〜２２のＣＳＩ−ＲＳとは独立に設定される。なお、アンテナポート１５〜２２のＣＳＩ−ＲＳは、非ゼロパワーＣＳＩ−ＲＳとも呼称される。
【０１６８】
基地局装置１は、ＲＲＣシグナリングを通じて、端末装置２に対して固有の制御情報として、ＣＳＩ−ＲＳを設定する。端末装置２は、基地局装置１によりＲＲＣシグナリングを通じて、ＣＳＩ−ＲＳが設定される。また、端末装置２は、干渉電力を測定するためのリソースであるＣＳＩ−ＩＭリソースが設定されることができる。端末装置２は、基地局装置１からの設定に基づいて、ＣＲＳ、ＣＳＩ−ＲＳおよび／またはＣＳＩ−ＩＭリソースを用いて、フィードバック情報を生成する。
【０１６９】
Ｄ１〜Ｄ２で示されるリソースエレメントは、それぞれＣＤＭグループ１〜ＣＤＭグループ２のＤＬ−ＤＭＲＳを示す。ＤＬ−ＤＭＲＳは、Ｗａｌｓｈ符号を用いた直交系列（直交符号）と、擬似ランダム系列によるスクランブル系列とを用いて構成される。また、ＤＬ−ＤＭＲＳは、アンテナポート毎に独立であり、それぞれのリソースブロックペア内で多重できる。ＤＬ−ＤＭＲＳは、ＣＤＭおよび／またはＦＤＭにより、アンテナポート間で互いに直交関係にある。ＤＬ−ＤＭＲＳは、ＣＤＭグループ内において、それぞれ直交符号によりＣＤＭされる。ＤＬ−ＤＭＲＳは、ＣＤＭグループ間において、互いにＦＤＭされる。同じＣＤＭグループにおけるＤＬ−ＤＭＲＳは、それぞれ同じリソースエレメントにマッピングされる。同じＣＤＭグループにおけるＤＬ−ＤＭＲＳは、アンテナポート間でそれぞれ異なる直交系列が用いられ、それらの直交系列は互いに直交関係にある。ＰＤＳＣＨ用のＤＬ−ＤＭＲＳは、８つのアンテナポート（アンテナポート７〜１４）の一部または全部を用いることができる。つまり、ＤＬ−ＤＭＲＳに関連付けられるＰＤＳＣＨは、最大８ランクまでのＭＩＭＯ送信ができる。ＥＰＤＣＣＨ用のＤＬ−ＤＭＲＳは、４つのアンテナポート（アンテナポート１０７〜１１０）の一部または全部を用いることができる。また、ＤＬ−ＤＭＲＳは、関連付けられるチャネルのランク数に応じて、ＣＤＭの拡散符号長やマッピングされるリソースエレメントの数を変えることができる。
【０１７０】
アンテナポート７、８、１１および１３で送信するＰＤＳＣＨ用のＤＬ−ＤＭＲＳは、Ｄ１で示されるリソースエレメントにマッピングされる。アンテナポート９、１０、１２および１４で送信するＰＤＳＣＨ用のＤＬ−ＤＭＲＳは、Ｄ２で示されるリソースエレメントにマッピングされる。また、アンテナポート１０７および１０８で送信するＥＰＤＣＣＨ用のＤＬ−ＤＭＲＳは、Ｄ１で示されるリソースエレメントにマッピングされる。アンテナポート１０９および１１０で送信するＥＰＤＣＣＨ用のＤＬ−ＤＭＲＳは、Ｄ２で示されるリソースエレメントにマッピングされる。
【０１７１】
＜本実施形態におけるＮＲの下りリンクリソースエレメントマッピングの詳細＞
図１１は、本実施形態におけるＮＲの下りリンクリソースエレメントマッピングの一例を示す図である。図１１は、パラメータセット０が用いられる場合に、所定のリソースにおけるリソースエレメントの集合を示す。図１１に示される所定のリソースは、ＬＴＥにおける１つのリソースブロックペアと同じ時間長および周波数帯域幅から成るリソースである。
【０１７２】
ＮＲにおいて、所定のリソースは、ＮＲ−ＲＢ（ＮＲリソースブロック）とも呼称される。所定のリソースは、ＮＲ−ＰＤＳＣＨまたはＮＲ−ＰＤＣＣＨの割り当ての単位、所定のチャネルまたは所定の信号のリソースエレメントに対するマッピングの定義を行う単位、または、パラメータセットが設定される単位などに用いることができる。
【０１７３】
図１１の例では、所定のリソースは、時間方向においてＯＦＤＭシンボル番号０〜１３で示される１４個のＯＦＤＭシンボル、および、周波数方向においてサブキャリア番号０〜１１で示される１２個のサブキャリアで構成される。システム帯域幅が複数の所定のリソースで構成される場合、サブキャリア番号はそのシステム帯域幅に渡って割り当てる。
【０１７４】
Ｃ１〜Ｃ４で示されるリソースエレメントは、アンテナポート１５〜２２の伝送路状況測定用参照信号（ＣＳＩ−ＲＳ）を示す。Ｄ１〜Ｄ２で示されるリソースエレメントは、それぞれＣＤＭグループ１〜ＣＤＭグループ２のＤＬ−ＤＭＲＳを示す。
【０１７５】
図１２は、本実施形態におけるＮＲの下りリンクリソースエレメントマッピングの一例を示す図である。図１２は、パラメータセット１が用いられる場合に、所定のリソースにおけるリソースエレメントの集合を示す。図１２に示される所定のリソースは、ＬＴＥにおける１つのリソースブロックペアと同じ時間長および周波数帯域幅から成るリソースである。
【０１７６】
図１２の例では、所定のリソースは、時間方向においてＯＦＤＭシンボル番号０〜６で示される７個のＯＦＤＭシンボル、および、周波数方向においてサブキャリア番号０〜２３で示される２４個のサブキャリアで構成される。システム帯域幅が複数の所定のリソースで構成される場合、サブキャリア番号はそのシステム帯域幅に渡って割り当てる。
【０１７７】
Ｃ１〜Ｃ４で示されるリソースエレメントは、アンテナポート１５〜２２の伝送路状況測定用参照信号（ＣＳＩ−ＲＳ）を示す。Ｄ１〜Ｄ２で示されるリソースエレメントは、それぞれＣＤＭグループ１〜ＣＤＭグループ２のＤＬ−ＤＭＲＳを示す。
【０１７８】
図１３は、本実施形態におけるＮＲの下りリンクリソースエレメントマッピングの一例を示す図である。図１３は、パラメータセット１が用いられる場合に、所定のリソースにおけるリソースエレメントの集合を示す。図１３に示される所定のリソースは、ＬＴＥにおける１つのリソースブロックペアと同じ時間長および周波数帯域幅から成るリソースである。
【０１７９】
図１３の例では、所定のリソースは、時間方向においてＯＦＤＭシンボル番号０〜２７で示される２８個のＯＦＤＭシンボル、および、周波数方向においてサブキャリア番号０〜６で示される６個のサブキャリアで構成される。システム帯域幅が複数の所定のリソースで構成される場合、サブキャリア番号はそのシステム帯域幅に渡って割り当てる。
【０１８０】
Ｃ１〜Ｃ４で示されるリソースエレメントは、アンテナポート１５〜２２の伝送路状況測定用参照信号（ＣＳＩ−ＲＳ）を示す。Ｄ１〜Ｄ２で示されるリソースエレメントは、それぞれＣＤＭグループ１〜ＣＤＭグループ２のＤＬ−ＤＭＲＳを示す。
【０１８１】
＜本実施形態におけるＮＲのフレーム構成＞
ＮＲでは、物理チャネルおよび／または物理信号を自己完結型送信（self-contained  transmission）によって送信することができる。図１４に、本実施形態における自己完結型送信のフレーム構成の一例を示す。自己完結型送信では、１つの送受信は、先頭から連続する下りリンク送信、ＧＰ、および連続する下りリンク送信の順番で構成される。連続する下りリンク送信には、少なくとも１つの下りリンク制御情報およびＤＭＲＳが含まれる。その下りリンク制御情報は、その連続する下りリンク送信に含まれる下りリンク物理チャネルの受信、またはその連続する上りリンク送信に含まれる上りリンク物理チャネルの送信を指示する。その下りリンク制御情報が下りリンク物理チャネルの受信を指示した場合、端末装置２は、その下りリンク制御情報に基づいてその下りリンク物理チャネルの受信を試みる。そして、端末装置２は、その下りリンク物理チャネルの受信成否（デコード成否）を、ＧＰ後に割り当てられる上りリンク送信に含まれる上りリンク制御チャネルによって送信する。一方で、その下りリンク制御情報が上りリンク物理チャネルの送信を指示した場合、その下りリンク制御情報に基づいて送信される上りリンク物理チャネルを上りリンク送信に含めて送信を行う。このように、下りリンク制御情報によって、上りリンクデータの送信と下りリンクデータの送信を柔軟に切り替えることで、上りリンクと下りリンクのトラヒック比率の増減に即座に対応することができる。また、下りリンクの受信成否を直後の上りリンク送信で通知することで、下りリンクの低遅延通信を実現することができる。
【０１８２】
単位スロット時間は、下りリンク送信、ＧＰ、または上りリンク送信を定義する最小の時間単位である。単位スロット時間は、下りリンク送信、ＧＰ、または上りリンク送信のいずれかのために予約される。単位スロット時間の中に、下りリンク送信と上りリンク送信の両方は含まれない。単位スロット時間は、その単位スロット時間に含まれるＤＭＲＳと関連付けられるチャネルの最小送信時間としてもよい。１つの単位スロット時間は、例えば、ＮＲのサンプリング間隔（Ts）またはシンボル長の整数倍で定義される。
【０１８３】
単位フレーム時間は、スケジューリングで指定される最小時間であってもよい。単位フレーム時間は、トランスポートブロックが送信される最小単位であってもよい。単位スロット時間は、その単位スロット時間に含まれるＤＭＲＳと関連付けられるチャネルの最大送信時間としてもよい。単位フレーム時間は、端末装置２において上りリンク送信電力を決定する単位時間であってもよい。単位フレーム時間は、サブフレームと称されてもよい。単位フレーム時間には、下りリンク送信のみ、上りリンク送信のみ、上りリンク送信と下りリンク送信の組み合わせの３種類のタイプが存在する。１つの単位フレーム時間は、例えば、ＮＲのサンプリング間隔（Ts）、シンボル長、または単位スロット時間の整数倍で定義される。
【０１８４】
送受信時間は、１つの送受信の時間である。１つの送受信と他の送受信との間は、どの物理チャネルおよび物理信号も送信されない時間（ギャップ）で占められる。端末装置２は、異なる送受信間でＣＳＩ測定を平均しなくてもよい。送受信時間は、ＴＴＩと称されてもよい。１つの送受信時間は、例えば、ＮＲのサンプリング間隔（Ts）、シンボル長、単位スロット時間、または単位フレーム時間の整数倍で定義される。
【０１８５】
＜＜２．技術的特徴＞＞
以下、本実施形態の技術的特徴を説明する。
【０１８６】
＜２．１．全体構成＞
図１５は、本実施形態に係る通信システムの全体構成を示す図である。図１５に示したように、通信システムは、複数の基地局装置１、複数の端末装置２、コアネットワーク１２及びＰＤＮ（Packet  Data  Network）１３を含む。
【０１８７】
基地局装置１は、セル１１を運用し、セル１１の内部に位置する１つ以上の端末装置２へ無線通信サービスを提供する。セル１１は、例えばＬＴＥ又はＮＲ等の任意の無線通信方式に従って運用される。基地局装置１は、コアネットワーク１２に接続される。コアネットワーク１２は、ゲートウェイ装置（図示せず）を介してパケットデータネットワーク（ＰＤＮ）１３に接続される。
【０１８８】
端末装置２は、基地局装置１による制御に基づいて基地局装置１と無線通信する。例えば、端末装置２は、基地局装置１からの下りリンク信号を測定して、測定結果を示す測定情報を基地局装置１へ報告する。基地局装置１は、報告された測定情報（以下、測定報告とも称される場合がある）に基づいて端末装置２との無線通信を制御する。他方、端末装置２は、測定のための上りリンク信号を基地局装置１に送信し得る。その場合、基地局装置１は、端末装置２からの上りリンク信号を測定して、測定情報に基づいて端末装置２との無線通信を制御する。上りリンク信号を用いた測定は、下りリンク信号を用いて測定における報告が不要なので、測定情報をより早く得ることが可能である。そのため、例えば端末装置２の移動速度が速い場合には、上りリンク信号を用いた測定が行われることが望ましい。
【０１８９】
基地局装置１同士は、Ｘ２インタフェースを用いて、互いに情報を送受信することができる。例えば、基地局装置１は、ハンドオーバが予測される端末装置２に関する測定情報を、隣接する他の基地局装置１に送信する。これにより、安定的なハンドオーバが実現され、端末装置２の無線通信の安定性が確保される。
【０１９０】
＜２．２．測定＞
以下では、本実施形態における測定に関して説明する。
【０１９１】
＜本実施形態におけるＮＲの上りリンクＲＳ＞
ＮＲにおける上りリンクＲＳ（参照信号、Reference  Signal）には、ＮＲ−ＳＲＳ、ＮＲ−ＤＭＲＳ、などがある。
【０１９２】
ＮＲ−ＳＲＳの一例を以下に記載する。なお、明記されない特徴は、ＬＴＥにおけるＳＲＳと同様とみなすことができる。
【０１９３】
ＮＲ−ＳＲＳは、サブフレーム内またはスロット内における最後のシンボルで送信されなくてもよい。例えば、サブフレーム内またはスロット内における最初のシンボルや途中のシンボルで送信されてもよい。
【０１９４】
ＮＲ−ＳＲＳは、複数のシンボルで連続的に送信されてもよい。例えば、サブフレーム内またはスロット内における最後の数シンボルで送信されてもよい。
【０１９５】
＜本実施形態におけるＲＲＭの詳細＞
ＲＲＭ（無線リソースの管理、radio  resource  management）の目的は、利用可能な無線リソースの有効的に利用するための方法を提供することである。ＲＲＭは、無線ベアラ制御（Radio  Bearer  Control:  RBC）、無線許可制御（Radio  Admission  Control:  RAC）、接続モビリティ制御（Connection  Mobility  Control:  CMC）、動的リソース割当（Dynamic  Resource  Allocation:  DRA）−パケットスケジューリング（Packet  Scheduling:  PS）、セル間干渉協調（Inter-Cell  Interference  Coordination:  ICIC）、ロードバランシング（Load  Balancing:  LB）、RAT間無線リソース管理（Inter-RAT  Radio  Resource  Management）、RAT/周波数優先（Frequency  Priority）に対する加入者プロファイルID（Subscriber  Profile  ID）、基地局間CoMP（Inter-eNB  CoMP）、セルオン／オフおよびセル発見、などの機能を備える。
【０１９６】
例えば、ＲＲＭの情報は、セル間のハンドオーバの判断に用いられる。基地局装置１は、端末装置２から受け取った測定報告又はＲＲＭ情報に基づいて、その端末装置２を手放すか否かの判断を行う。このハンドオーバ処理によって、モビリティ制御及びロードバランシングなどが実現される。
【０１９７】
＜本実施形態における下りリンクＲＲＭ測定＞
下りリンクＲＲＭ測定では、基地局装置１から送られる下りリンク信号を用いて伝搬路の情報を測定する。端末装置２は、下りリンク信号を用いてＲＲＭで用いられる伝搬路の情報を測定する。ＲＲＭで用いられる伝搬路の情報（ＲＲＭ測定情報）は、基地局装置１と端末装置２との間のチャネル情報であり、受信電力及び干渉に関する情報である。ＲＲＭ測定情報は、ＣＳＩの情報に比べて長期間および／または広帯域に平均された情報である。具体的には、ＲＲＭ測定情報は、例えば、ＲＳＲＰ（Reference  Signal  Received  Power）、ＲＳＲＱ（Reference  Signal  Received  Quality）、ＲＳＳＩ（Received  Signal  Strength  Indicator）、ＳＩＮＲ（Signal  to  Interference  plus  Noise  Ratio）などである。
【０１９８】
ＲＳＲＰは、参照信号の受信電力を表す数値である。具体的には、ＲＳＲＰは、想定される測定周波数帯域幅の中の参照信号を運ぶリソースエレメントの電力値の線形平均で定義される。ＲＳＲＰの測定に用いられる参照信号は、セル固有に設定される参照信号（ＣＲＳ）や、端末固有に設定される参照信号（ＣＳＩ−ＲＳ）、などである。なお、ＲＳＲＰを測定する参照信号は、ビーム固有に設定される参照信号（Beamformed  RS:  BRS）であってもよい。ＲＳＲＰは、端末装置２に上位層から測定サブフレームに関する設定がされた場合は、その測定サブフレームの内の少なくともいずれかのサブフレームで測定される。なお、ＲＳＲＰは、端末装置２に上位層から測定サブフレームに関する設定がされた場合は、その測定サブフレーム以外のサブフレームでも測定されてもよい。
【０１９９】
ＲＳＲＱは、参照信号の受信品質を表す数値である。具体的には、ＲＳＲＱは、測定帯域幅のリソースブロック数×ＲＳＲＰ／ＲＳＳＩで定義される。
【０２００】
ＲＳＳＩは、受信電力強度を表す数値である。具体的には、測定サブフレームの所定のＯＦＤＭシンボルの総受信電力値の線形平均で定義される。その所定のＯＦＤＭシンボルは、上位層指示に基づいて、決定される。ＲＳＳＩは、上位層から指示された場合、サブフレームの全てのＯＦＤＭシンボルを用いて測定される。一方で、ＲＳＳＩは、上位層から指示されなかった場合は、ＲＳＲＰを測定した参照信号が含まれるＯＦＤＭシンボルを用いて測定される。
【０２０１】
ＳＩＮＲは、所定のセルからの受信電力と所定のセル以外からの受信電力および雑音電力の合計の比である。一例として、ＳＩＮＲは、ＲＳＲＰ／（ＲＳＳＩ―測定帯域幅のリソースブロック数×ＲＳＲＰ）で定義される。
【０２０２】
下りリンクＲＲＭ測定情報は、Ｘ２インターフェースやＳ１インターフェースなどのバックホール回線を用いて基地局装置１間で共有される。
【０２０３】
＜本実施形態における下りリンクＲＲＭ報告＞
下りリンクＲＲＭ測定の情報は、トリガされた場合に、その情報を測定した端末装置２からサービングセルへ報告される。
【０２０４】
トリガタイプの一例として、イベントによってトリガされる。イベントには、サービングセルのＲＲＭ測定結果が閾値よりも良い場合（Event  A1）、サービングセルのＲＲＭ測定結果が閾値よりも悪い場合（Event  A2）、隣接セルのＲＲＭ測定結果とオフセット値の合計がプライマリセルやプライマリセカンダリセルのＲＲＭ測定結果よりも良い場合（Event  A3）、隣接セルのＲＲＭ測定結果が閾値よりも良い場合（Event  A4）、プライマリセルまたはプライマリセカンダリセルのＲＲＭ測定結果が第一の閾値よりも悪い、かつ、第二の閾値よりも良い場合（Event  A5）、隣接セルのＲＲＭ測定結果とオフセット値の合計がセカンダリセルのＲＲＭ測定結果よりも良い場合（Event  A6）、などが挙げられる。
【０２０５】
トリガタイプの一例として、周期的にトリガされる。
【０２０６】
端末装置２は、上記のいずれかのイベントの条件を満たし、かつ、ＰＵＳＣＨの送信機会が発生した場合に、ＰＵＳＣＨに乗せて下りリンクＲＲＭ測定の結果を基地局装置１に送信する。これにより、基地局装置１およびネットワークは各端末装置２のＲＲＭ測定情報を取得することができる。
【０２０７】
＜本実施形態における上りリンクＲＲＭ測定＞
上りリンクＲＲＭ測定では、端末装置２から送られる上りリンク信号を用いて伝搬路の情報を測定する。
【０２０８】
上りリンクＲＲＭ測定を行う際に、端末装置２はＲＲＭ測定のためのＲＳ（ＲＲＭ測定用上りリンクＲＳ）を送信する。基地局装置１は、そのＲＲＭ測定用上りリンクＲＳから、ＲＲＭ測定を行う。
【０２０９】
なお、上りリンクＲＲＭ測定では、下りリンクＲＲＭ測定の測定情報と同様の定義の測定が行われてもよい。具体的には、基地局装置１は、そのＲＲＭ測定用上りリンクＲＳから、ＲＳＲＰ、ＲＳＲＱ、ＲＳＳＩ、および／または、ＳＩＮＲを測定されてもよい。
【０２１０】
なお、上りリンクＲＲＭ測定では、下りリンクＲＲＭ測定と同様のトリガタイプを用いてもよい。
【０２１１】
なお、上りリンクＲＲＭ測定では、ＰＵＳＣＨと共にＲＲＭ測定用上りリンクＲＳを送信してもよい。そして、そのＰＵＳＣＨは下りリンクＲＲＭ測定の報告のために用いられてもよい。そのＰＵＳＣＨに含まれる下りリンクＲＲＭ測定の情報には、下りリンクの干渉に関する情報（例えば、ＲＳＲＱ、ＲＳＳＩ、ＳＩＮＲ）が含まれていることが好ましい。
【０２１２】
上りリンクＲＲＭ測定情報は、Ｘ２インターフェースやＳ１インターフェースなどのバックホール回線を用いて基地局装置１間で共有される。基地局装置１は、バックホール回線で接続された隣接基地局に対して、測定した上りリンクＲＲＭ測定情報を転送することができる。
【０２１３】
なお、サイドリンクにおける端末装置２と端末装置２の間のチャネル情報を測定するために、上記の上りリンクＲＲＭ測定と同様のプロセスが適用されてもよい。すなわち、端末装置２は、接続する他の端末装置２に対して、ＲＲＭ測定用上りリンクＲＳを送信してもよい。端末装置２は、他の端末装置２から送信されたＲＲＭ測定用上りリンクＲＳに基づいてＲＲＭ測定を行ってもよい。
【０２１４】
＜本実施形態におけるＣＳＩ測定用上りリンクＲＳ＞
ＣＳＩ測定用上りリンクＲＳは、上りリンクにおけるＣＳＩ情報の獲得のために用いられる。なお、ＣＳＩ測定用上りリンクＲＳを用いてＲＲＭ測定が行われてもよい。
ＮＲにおけるＣＳＩ測定用上りリンクＲＳの一例は、ＮＲ−ＳＲＳである。ＮＲ−ＳＲＳは、ＲＲＣ層などの上位層から送信の設定がされる。
【０２１５】
ＣＳＩ測定用上りリンクＲＳの送信電力は、サービングセルからのパスロスに基づいて計算される。ＲＲＭ測定用上りリンクＲＳの送信電力は、上位層から指示される情報とパスロスに基づいて計算される。そのパスロスは、下りリンクまたは上りリンクのパスロスである。これにより、上りリンクにおける信号の干渉を低減させることができる。
【０２１６】
ＣＳＩ測定用上りリンクＲＳの送信周期は、短い間隔である。具体的には、ＣＳＩ測定用上りリンクＲＳの送信周期は、数ミリ秒から数十ミリ秒の間で設定される。ＣＳＩ測定用上りリンクＲＳの送信周期は、ＲＲＭ測定用上りリンクＲＳの送信周期よりも短い。
【０２１７】
ＣＳＩ測定用上りリンクＲＳの送信帯域幅は、ワイドバンドまたはサブバンドである。
【０２１８】
ＣＳＩ測定用上りリンクＲＳが送信される信号波形は、ＣＰ−ＯＦＤＭ（Cyclic  prefix  Orthogonal  Frequency  Division  Multiplexing）またはＤＦＴ−ｓ−ＯＦＤＭ（Discrete  Fourier  Transform  −  spread  −  Orthogonal  Frequency  Division  Multiplexing）である。
【０２１９】
ＣＳＩ測定用上りリンクＲＳのビームは、所定の方向に向けられる。換言すると、ＣＳＩ測定用上りリンクＲＳで用いられるプリコーダやコードブックは、上位層によって限定される。また、ＣＳＩ測定用上りリンクＲＳのビーム幅は、ＲＲＭ測定用上りリンクＲＳのビーム幅に比べて狭いことが好ましい。
【０２２０】
ＣＳＩ測定用上りリンクＲＳの周波数密度は、高密度であることが好ましい。具体的には、ＣＳＩ測定用上りリンクＲＳのＲＥマッピングの一例は、周波数上で連続的にマッピングされる。ＣＳＩ測定用上りリンクＲＳのＲＥマッピングの一例は、櫛形に（即ち、１つ飛ばしに）マッピングされる。これにより、周波数選択性フェージングに対して十分な精度でチャネル推定を行うことができる。
【０２２１】
ＣＳＩ測定用上りリンクＲＳのタイミングアドバンスは、端末装置２固有のＴＡ（Timing  Advance）コマンドに基づいて決定される。
【０２２２】
ＣＳＩ測定用上りリンクＲＳは、周波数ホッピングされてもよい。ＣＳＩ測定用上りリンクＲＳに関する設定には、周波数ホッピングを指示するパラメータが含まれる。
【０２２３】
＜本実施形態におけるＲＲＭ測定用上りリンクＲＳ＞
ＲＲＭ測定用上りリンクＲＳは、上りリンクによるＲＲＭ測定のために用いられる。なお、ＲＲＭ測定用上りリンクＲＳを用いて上りリンクのＣＳＩ測定が行われてもよい。
【０２２４】
ＮＲにおけるＲＲＭ測定用上りリンクＲＳの一例として、ＮＲ−ＳＲＳであるが、ＣＳＩ測定用上りリンクＲＳとは設定が異なる。
【０２２５】
ＮＲにおけるＲＲＭ測定用上りリンクＲＳの一例として、ＮＲ−ＤＭＲＳであってもよい。そのＲＲＭ測定用上りリンクＲＳは、ＮＲ−ＰＵＳＣＨやＮＲ−ＰＵＣＣＨと共に送信されてもよい。
【０２２６】
ＮＲにおけるＲＲＭ測定用上りリンクＲＳの一例として、ＮＲ−ＰＲＡＣＨであってもよい。
【０２２７】
ＲＲＭ測定用上りリンクＲＳの送信電力は、サービングセルからのパスロスとは独立に計算される。ＲＲＭ測定用上りリンクＲＳの送信電力は、上位層から指示される情報に基づいて計算され、パスロスに基づかない。これにより、基地局装置１は上りリンクのパスロスを測定することができる。
【０２２８】
ＲＲＭ測定用上りリンクＲＳの送信周期は、長い間隔である。具体的には、ＲＲＭ測定用上りリンクＲＳの送信周期は、数十ミリ秒から数百ミリ秒の間で設定される。ＲＲＭ測定用上りリンクＲＳの送信周期は、ＣＳＩ測定用上りリンクＲＳの送信周期よりも長い。これにより、低消費電力を満たすことができる。
【０２２９】
ＲＲＭ測定用上りリンクＲＳの送信帯域幅は、サブバンドでもよいが、ワイドバンドであることが好ましい。
【０２３０】
ＲＲＭ測定用上りリンクＲＳが送信される信号波形は、ＣＰ−ＯＦＤＭでもよいが、ＤＦＴ−ｓ−ＯＦＤＭであることが好ましい。
【０２３１】
ＲＲＭ測定用上りリンクＲＳのビームは、全方向に向けることができる。換言すると、ＲＲＭ測定用上りリンクＲＳで用いられるプリコーダやコードブックは、限定されない。また、ＲＲＭ測定用上りリンクＲＳのビーム幅は、ＣＳＩ測定用上りリンクＲＳのビーム幅に比べて広いことが好ましい。
【０２３２】
ＲＲＭ測定用上りリンクＲＳの周波数密度は、低密度であることが好ましい。具体的には、ＣＳＩ測定用上りリンクＲＳのＲＥマッピングの一例は、櫛形（即ち、１つ飛ばし）よりも疎な間隔でマッピングされる。ＣＳＩ測定用上りリンクＲＳのＲＥマッピングの一例は、１つのリソースブロックに対して１つまたは２つのＲＥにマッピングされる。これにより、ワイドバンドかつ低送信電力を満たすことができる。
【０２３３】
ＲＲＭ測定用上りリンクＲＳのタイミングアドバンスは、ＣＳＩ測定用上りリンクＲＳに対するＴＡコマンドとは異なるＴＡコマンドに基づいて決定される。もしくは、ＲＲＭ測定用上りリンクＲＳのタイミングアドバンスは、設定されず、オフセット値は０である。
【０２３４】
ＲＲＭ測定用上りリンクＲＳは、周波数ホッピングされない。ＲＲＭ測定用上りリンクＲＳに関する設定には、周波数ホッピングを指示するパラメータが含まれない。
【０２３５】
＜本実施形態におけるＲＲＭ測定の切り替え＞
ネットワークは、状況に応じて下りリンクＲＲＭ測定と上りリンクＲＲＭ測定を切り替えることができる。例えば、下りリンクＲＲＭ測定と上りリンクＲＲＭ測定のうち、所定の条件を満たしたとき、一方のＲＲＭ測定が適用され、それ以外は、他方のＲＲＭ測定が適用される。
【０２３６】
下りリンクＲＲＭ測定と上りリンクＲＲＭ測定とは、所定の条件に基づいて切り替えられる。
【０２３７】
例えば、端末装置２においては、第１の条件を満たす場合に上りリンクＲＲＭ測定が適用され、第２の条件を満たす場合に下りリンクＲＲＭ測定が適用される。端末装置２（例えば、送信部２０７）は、上りリンクＲＲＭ測定が適用された場合は、上りリンクＲＲＭ測定に関する設定（無線リソースの管理のための測定に関する第１の設定に相当）に基づいて、ＲＲＭ測定用上りリンクＲＳ（第１の上りリンク参照信号に相当）を送信する。端末装置２（例えば、チャネル測定部２０５９）は、下りリンクＲＲＭ測定が適用された場合、下りリンクＲＳに基づいて下りリンクＲＲＭ測定を行う。即ち、端末装置２は、第１の条件を満たす場合にＲＲＭ測定用上りリンクＲＳを送信し、第２の条件を満たす場合に下りリンクＲＳを用いて下りリンクＲＲＭ測定を行う。
【０２３８】
一方、基地局装置１においても、第１の条件を満たす場合に上りリンクＲＲＭ測定が適用され、第２の条件を満たす場合に下りリンクＲＲＭ測定が適用される。詳しくは、基地局装置１（例えば、チャネル測定部１０５９）は、上りリンクＲＲＭ測定が適用された場合は、端末装置２により送信されたＲＲＭ測定用上りリンクＲＳに基づいて上りリンク測定（第１の上りリンク測定に相当）を行う。また、基地局装置１（例えば、送信部１０７）は、下りリンクＲＳを送信する。とりわけ、基地局装置１は、下りリンクＲＲＭ測定が適用された場合は、下りリンクＲＳを送信する。即ち、基地局装置１は、第１の条件を満たす場合にＲＲＭ測定用上りリンクＲＳに基づいて上りリンク測定を行い、第２の条件を満たす場合に下りリンクＲＳを送信する。
【０２３９】
ここでの所定の条件の意味合いについて説明する。上りリンク信号を用いた測定は、下りリンク信号を用いて測定における報告が不要なので、測定情報をより早く得ることが可能である。そのため、より低遅延が求められる場合には、下りリンクＲＳに基づく測定が端末装置２側で行われるよりも、ＲＲＭ測定用上りリンクＲＳが送信されて基地局装置１側で測定が行われることが望ましい。従って、低遅延が求められる場合が第１の条件として規定され、そうでない場合が第２の条件として規定されるものとして捉えられてもよい。もちろん、所定の条件は、他の基準に従って規定されてもよい。
【０２４０】
以下、所定の条件の具体例を説明する。
【０２４１】
所定の条件の一例として、時間リソースが挙げられる。その一例として、図１６を参照して、所定の条件の一例が、第１の期間と第２の期間である場合の例を説明する。図１６は、本実施形態に係る下りリンクＲＲＭ測定と上りリンクＲＲＭ測定の切替の一例を示す図である。例えば、第１の期間である場合に、上りリンクＲＲＭ測定が適用され、第２の期間である場合に下りリンクＲＲＭ測定が適用される。端末装置２は、上りリンクＲＲＭ測定が適用された場合は、上りリンクＲＲＭ測定に関する設定に基づいてＲＲＭ測定用上りリンクＲＳを送信する。端末装置２は、下りリンクＲＲＭ測定が適用された場合、下りリンクＲＳを用いて下りリンクＲＲＭ測定を行う。なお、これらの期間は、任意の時間リソースであってもよく、例えば、シンボル、サブフレーム又はフレーム等の任意の単位時間リソースであってもよいし、ひとつ又は複数の単位時間リソースであってもよい。
【０２４２】
所定の条件の一例として、ＤＲＸ期間が挙げられる。具体的には、ＤＲＸ期間でない場合に、下りリンクＲＲＭ測定が適用され、ＤＲＸ期間である場合に、上りリンクＲＲＭ測定が適用される。換言すると、第１の条件を満たす場合は、対象の時間リソースがＤＲＸ区間内であり、第２の条件を満たす場合は、対象の時間リソースがＤＲＸ区間外であってもよい。
【０２４３】
所定の条件の一例として、端末モードが挙げられる。具体的には、端末装置２がアイドルモードまたは不活発モード（inactive  mode）である場合に、下りリンクＲＲＭ測定が適用され、端末装置２が接続モードである場合に、上りリンクＲＲＭ測定が適用される。換言すると、第１の条件を満たす場合は、端末装置２が接続モードであり、第２の条件を満たす場合は、端末装置２がアイドルモードまたは不活性モードであってもよい。なお、不活性モードは、接続モードとアイドルモードとの中間の意味合いをもつモードである。例えば、不活性モードにおいては、端末装置２及びネットワークはコンテキストを維持し、端末装置２がスリープする。
【０２４４】
所定の条件の一例として、端末装置２のモビリティ状態が挙げられる。具体的には、通常モビリティ状態（Normal-mobility  state）の端末装置２は、下りリンクＲＲＭ測定が適用され、高モビリティ状態（High-mobility  state）の端末装置２は、上りリンクＲＲＭ測定が適用される。なお、中モビリティ状態（Medium-mobility  state）の端末装置２は、下りリンクＲＲＭ測定が適用されてもよいが、上りリンクＲＲＭ測定が適用されることが好ましい。
【０２４５】
所定の条件の一例として、測定される対象の周波数リソースが挙げられる。具体的には、測定される対象の周波数がサービングセルと同じ周波数である場合（すなわち、周波数内測定（intra-frequency  measurement）である場合）に、下りリンクＲＲＭ測定が適用され、測定される対象の周波数がサービングセルと異なる周波数である場合（すなわち、周波数外測定（inter-frequency  measurement）である場合）に、上りリンクＲＲＭ測定が適用される。
【０２４６】
所定の条件の一例として、ビーム運用方法が挙げられる。具体的には、マルチビーム運用が行われているセルに対しては、下りリンクＲＲＭ測定が適用され、シングルビーム運用が行われているセルに対しては、上りリンクＲＲＭ測定が適用される。
【０２４７】
なお、上記の所定の条件の一例は、複数組み合わされて適用されてもよい。
【０２４８】
＜本実施形態における上りリンクＲＳ送信の切り替え＞
端末装置２は、状況に応じてＲＲＭ測定用上りリンクＲＳの送信とＣＳＩ測定用上りリンクＲＳ（第２の上りリンク参照信号に相当）の送信とを切り替えることができる。
【０２４９】
ＲＲＭ測定用上りリンクＲＳ及びＣＳＩ測定用上りリンクＲＳの各々は、時間リソース又は周波数リソースの少なくともいずれかが異なるリソースにおいて送信される。具体的には、所定の時間リソース（例えば、サブフレーム、スロット、ミニスロット、または、シンボル）および所定の周波数リソース（例えば、キャリア）において、ＲＲＭ測定用上りリンクＲＳとＣＳＩ測定用上りリンクＲＳとは、どちらか一方が送信される。即ち、ＲＲＭ測定用上りリンクＲＳ及びＣＳＩ測定用上りリンクＲＳを送信可能な端末装置２は、上りリンクＲＳが送信される所定のタイミングにおいて、所定の条件を満たしたときに一方の上りリンクＲＳを送信し、それ以外は他方の上りリンクＲＳを送信する。また、所定の周波数リソースにおいて、ＲＲＭ測定用上りリンクＲＳとＣＳＩ測定用上りリンクＲＳとが同時に送信されることがない。即ち、所定の周波数リソースにおいて、端末装置２は、ＣＳＩ測定用上りリンクＲＳとＲＲＭ測定用上りリンクＲＳとを同時に送信せず、一方の上りリンクＲＳのみ送信し、他方の上りリンクＲＳを破棄する。
【０２５０】
ＲＲＭ測定用上りリンクＲＳ送信とＣＳＩ測定用上りリンクＲＳ送信とは、所定の条件に基づいて切り替えられる。
【０２５１】
例えば、端末装置２は、第３の条件を満たす場合に、上りリンクＲＲＭ測定に関する設定に基づいてＲＲＭ測定用上りリンクＲＳを送信する。また、端末装置２は、第４の条件を満たす場合に、上りリンクＣＳＩ測定に関する設定（第１の設定とは異なる第２の設定に相当）に基づいてＣＳＩ測定用上りリンクＲＳを送信する。
【０２５２】
一方、基地局装置１は、第３の条件を満たす場合に、端末装置２により送信されたＲＲＭ測定用上りリンクＲＳに基づいて上りリンク測定を行う。また、基地局装置１は、第４の条件を満たす場合に、端末装置２により送信されたＣＳＩ測定用上りリンクＲＳに基づいて上りリンク測定（第２の上りリンク測定に相当）を行う。
【０２５３】
ここでの所定の条件の意味合いについて説明する。ＲＲＭ測定は、長期のリンク情報を得ることが可能であり、例えばセル選択等のために用いられる。一方で、ＲＲＭ以外の、例えばＣＳＩ測定は、瞬時のリンク情報を得ることが可能であり、例えばリンクアダプテーションなどのために用いられる。従って、長期のリンク情報が求められる場合が第１の条件として規定され、そうでない場合が第２の条件として規定されるものとして捉えられてもよい。もちろん、所定の条件は、他の基準に従って規定されてもよい。例えば、端末装置２の移動速度が速い場合が第１の条件として規定され、そうでない場合が第２の条件として規定されてもよい。
【０２５４】
以下、所定の条件の具体例を説明する。
【０２５５】
所定の条件の一例として、時間リソースが挙げられる。その一例として、図１７を参照して、所定の条件の一例が、第１の期間と第２の期間である場合の例を説明する。図１７は、本実施形態に係るＲＲＭ測定用上りリンクＲＳ送信とＣＳＩ測定用上りリンクＲＳ送信の切替の一例を示す図である。端末装置２は、第１の期間である場合に、上りリンクＲＲＭ測定に関する設定に基づいてＲＲＭ測定用上りリンクＲＳを送信し、第２の期間である場合に、上りリンクＣＳＩ測定に関する情報に基づいてＣＳＩ測定用上りリンクＲＳを送信する。
【０２５６】
所定の条件の一例として、ＤＲＸ期間が挙げられる。具体的には、ＤＲＸ期間である場合に、ＲＲＭ測定用上りリンクＲＳが送信され、ＤＲＸ期間でない場合に、ＣＳＩ測定用上りリンクＲＳが送信される。
【０２５７】
所定の条件の一例として、活性（activation）／非活性（deactivation）が挙げられる。具体的には、非活性（deactivation）の場合に、ＲＲＭ測定用上りリンクＲＳが送信され、活性（activation）の場合に、ＣＳＩ測定用上りリンクＲＳが送信される。
【０２５８】
所定の条件の一例として、端末モードが挙げられる。具体的には、端末装置がアイドルモードまたは不活発モード（inactive  mode）である場合に、ＲＲＭ測定用上りリンクＲＳが送信され、端末装置が接続モードである場合に、ＣＳＩ測定用上りリンクＲＳが送信される。
【０２５９】
所定の条件の一例として、アンライセンス帯域におけるチャネル確保期間が挙げられる。具体的には、アンライセンス帯域において、チャネルが確保されない期間では、ＲＲＭ測定用上りリンクＲＳが送信され、チャネルが確保される期間では、ＣＳＩ測定用上りリンクＲＳが送信される。
【０２６０】
所定の条件の一例として、ＲＲＭ測定用上りリンクＲＳとＣＳＩ測定用上りリンクＲＳの送信タイミングが重なる場合が挙げられる。その例を、図１８を参照して説明する。図１８は、本実施形態に係るＲＲＭ測定用上りリンクＲＳ送信とＣＳＩ測定用上りリンクＲＳ送信の切替の一例を示す図である。図１８では、ＲＲＭ測定用上りリンクＲＳとＣＳＩ測定用上りリンクＲＳとの送信タイミングが重なる場合の例を示している。具体的には、所定の送信タイミングにおいてＲＲＭ測定用上りリンクＲＳの送信とＣＳＩ測定用上りリンクＲＳの送信の両方が発生した場合に、ＲＲＭ測定用上りリンクＲＳが送信され、所定の送信タイミングにおいてＲＲＭ測定用上りリンクＲＳの送信のみが発生した場合、ＲＲＭ測定用上りリンクＲＳが送信され、所定の送信タイミングにおいてＣＳＩ測定用上りリンクＲＳの送信のみが発生した場合、ＣＳＩ測定用上りリンクＲＳが送信される。換言すると、第３の条件を満たす場合は、対象の時間リソースが上りリンクＲＲＭ測定に関する設定で指示されるタイミングである。また、第４の条件を満たす場合は、対象の時間リソースが上りリンクＣＳＩ測定に関する設定で指示される送信タイミングであり、かつ、上りリンクＲＲＭ測定に関する設定で指示される送信タイミングでない。
【０２６１】
所定の条件の一例として、サービングセルのＲＳＲＰの値、または、ＲＬＭ測定によって測られる無線リンク品質（radio  link  quality）の値が所定値よりも下回った場合が挙げられる。具体的には、サービングセルのＲＳＲＰの値、または、ＲＬＭ測定によって測られる無線リンク品質（radio  link  quality）の値が所定値よりも下回った場合、所定の送信タイミングにおいて、ＲＲＭ測定用上りリンクＲＳが送信され、サービングセルのＲＳＲＰの値、または、ＲＬＭ測定によって測られる無線リンク品質（radio  link  quality）の値が所定値よりも上回った場合、所定の送信タイミングにおいて、ＣＳＩ測定用上りリンクＲＳが送信される。
【０２６２】
所定の条件の一例として、上りリンクＲＲＭ測定に関連するタイマーが満了した場合が挙げられる。具体的には、上りリンクＲＲＭ測定に関連するタイマーが満了した場合に、所定の送信タイミングにおいて、ＲＲＭ測定用上りリンクＲＳが送信され、上りリンクＲＲＭ測定に関連するタイマーが満了していない場合に、ＣＳＩ測定用上りリンクＲＳが送信される。そのタイマーは、サブフレーム単位で減算される。そのタイマーは、ＲＲＭ測定用上りリンクＲＳが送信された場合にリセットされる。
【０２６３】
所定の条件の一例として、ＤＣＩによってトリガされた場合が挙げられる。具体的には、ＤＣＩによってＲＲＭ測定用上りリンクＲＳの送信がトリガされた場合、ＲＲＭ測定用上りリンクＲＳが送信され、ＤＣＩによってＣＳＩ測定用上りリンクＲＳの送信がトリガされた場合、ＣＳＩ測定用上りリンクＲＳが送信される。
【０２６４】
所定の条件の一例として、測定される対象の周波数が挙げられる。具体的には、測定される対象の周波数がサービングセルと同じ周波数である場合（すなわち、周波数内測定（intra-frequency  measurement）である場合）に、ＣＳＩ測定用上りリンクＲＳが送信され、測定される対象の周波数がサービングセルと異なる周波数である場合（すなわち、周波数外測定（inter-frequency  measurement）である場合）に、ＲＲＭ測定用上りリンクＲＳが送信される。なお、これらの条件は、逆であってもよい。即ち、測定される対象の周波数がサービングセルと同じ周波数である場合に、ＲＲＭ測定用上りリンクＲＳが送信され、測定される対象の周波数がサービングセルと異なる周波数である場合に、ＣＳＩ測定用上りリンクＲＳが送信されてもよい。また、測定される対象の周波数リソース（例えば、キャリア）がデアクティベーションである場合に、ＲＲＭ測定用上りリンクＲＳが送信され、測定される対象の周波数リソースがアクティベーションである場合に、ＣＳＩ測定用上りリンクＲＳが送信されてもよい。換言すると、第３の条件を満たす場合は、対象の周波数リソースがデアクティベーションであり、第４の条件を満たす場合は、対象の周波数リソースがアクティベーションであってもよい。
【０２６５】
所定の条件の一例として、下りリンクＲＲＭ測定の設定が挙げられる。具体的には、下りリンクＲＲＭ測定が設定された場合は、ＣＳＩ測定用上りリンクＲＳが送信され、下りリンクＲＲＭ測定が設定されない場合は、ＲＲＭ測定用上りリンクＲＳが送信される。
【０２６６】
所定の条件の一例として、測定するセルが挙げられる。具体的には、サービングセルＲＲＭ測定を行う場合に、ＣＳＩ測定用上りリンクＲＳが送信され、隣接セルＲＲＭ測定を行う場合に、ＲＲＭ測定用上りリンクＲＳが送信される。
【０２６７】
なお、ＲＲＭ測定用上りリンクＲＳは、上記の所定の条件が満たされ、かつ、ＲＲＭ測定用上りリンクＲＳの送信機会が得られた場合に、送信されてもよい。
【０２６８】
なお、上記の所定の条件の一例は、複数組み合わされて適用されてもよい。
【０２６９】
＜本実施形態における基地局間の通信＞
基地局装置１（例えば、上位層処理部１０１、転送部に相当）は、上述したＲＲＭ測定用上りリンクＲＳに基づく上りリンク測定により得られた測定情報を、隣接基地局に転送し得る。また、基地局装置１は、ＣＳＩ測定用上りリンクＲＳに基づいて上りリンク測定により得られた測定情報、及び／又はＲＲＭ測定用下りリンクＲＳに基づく下りリンク測定を行った端末装置２から報告された測定情報を、隣接基地局に転送してもよい。さらには、基地局装置１は、隣接基地局から転送された測定情報に基づいて、測定情報の対象である端末装置２との無線通信を制御してもよい。このような基地局間通信により、安定的なハンドオーバが実現され、端末装置２の無線通信の安定性が確保される。
【０２７０】
＜本実施形態におけるＲＲＭ測定に関するプロシージャの詳細＞
以下では、図１９〜図２１を参照して、基地局装置１及び端末装置２によるＲＲＭ測定に関するプロシージャについて説明する。
【０２７１】
図１９は、本実施形態に係る基地局装置１及び端末装置２において実行されるＲＲＭ測定に関するプロシージャの流れの一例を示す図である。本プロシージャは、下りリンクＲＲＭ測定と上りリンクＲＲＭ測定との切り替えに関する。図１９に示すように、基地局装置１及び端末装置２は、所定の条件を満たすか否かを判定する（ステップＳ１０２）。所定の条件を満たすと判定された場合（ステップＳ１０２／ＹＥＳ）、上りリンクＲＲＭ測定が適用される（ステップＳ１０４）。即ち、端末装置２は、ＲＲＭ測定用上りリンクＲＳを送信し、基地局装置１は、ＲＲＭ測定用上りリンクＲＳに基づいてＲＲＭ測定を行う。一方、所定の条件を満たさないと判定された場合（ステップＳ１０２／ＮＯ）、下りリンクＲＲＭ測定が適用される（ステップＳ１０６）。即ち、基地局装置１は、ＲＲＭ測定用下りリンクＲＳを送信し、端末装置２は、ＲＲＭ測定用下りリンクＲＳに基づいてＲＲＭ測定を行う。
【０２７２】
図２０は、本実施形態に係る基地局装置１及び端末装置２において実行されるＲＲＭ測定に関するプロシージャの流れの一例を示す図である。本プロシージャは、ＲＲＭ測定用上りリンクＲＳの送信とＣＳＩ測定用上りリンクＲＳの送信との切り替えに関する。図２０に示すように、基地局装置１及び端末装置２は、第１の条件を満たすか否かを判定する（ステップＳ２０２）。第１の条件を満たすと判定された場合（ステップＳ２０２／ＹＥＳ）、ＲＲＭ測定用上りリンクＲＳ送信が行われる（ステップＳ２０４）。即ち、端末装置２は、ＲＲＭ測定用上りリンクＲＳを送信し、基地局装置１は、ＲＲＭ測定用上りリンクＲＳに基づいてＲＲＭ測定を行う。一方、第１の条件を満たさないと判定された場合（ステップＳ２０２／ＮＯ）、基地局装置１及び端末装置２は、第２の条件を満たすか否かを判定する（ステップＳ２０６）。第２の条件を満たすと判定された場合（ステップＳ２０６／ＹＥＳ）、ＣＳＩ測定用上りリンクＲＳ送信が行われる（ステップＳ２０８）。即ち、端末装置２は、ＣＳＩ測定用上りリンクＲＳを送信し、基地局装置１は、ＣＳＩ測定用上りリンクＲＳに基づいてＣＳＩ測定を行う。一方、第２の条件を満たさないと判定された場合（ステップＳ２０６／ＮＯ）、基地局装置１及び端末装置２は、ＲＲＭ測定に関連する処理を行わない。
【０２７３】
図２１は、本実施形態に係る基地局装置１及び端末装置２において実行されるＲＲＭ測定に関するプロシージャの流れの一例を示す図である。本プロシージャは、ＲＲＭ測定用上りリンクＲＳの送信、ＣＳＩ測定用上りリンクＲＳの送信、及び下りリンクＲＲＭ測定の切り替えに関する。図２１に示すように、基地局装置１及び端末装置２は、第１の条件を満たすか否かを判定する（ステップＳ３０２）。第１の条件を満たすと判定された場合（ステップＳ３０２／ＹＥＳ）、ＲＲＭ測定用上りリンクＲＳ送信が行われる（ステップＳ３０４）。即ち、端末装置２は、ＲＲＭ測定用上りリンクＲＳを送信し、基地局装置１は、ＲＲＭ測定用上りリンクＲＳに基づいてＲＲＭ測定を行う。一方、第１の条件を満たさないと判定された場合（ステップＳ３０２／ＮＯ）、基地局装置１及び端末装置２は、第２の条件を満たすか否かを判定する（ステップＳ３０６）。第２の条件を満たすと判定された場合（ステップＳ３０６／ＹＥＳ）、ＣＳＩ測定用上りリンクＲＳ送信が行われる（ステップＳ３０８）。即ち、端末装置２は、ＣＳＩ測定用上りリンクＲＳを送信し、基地局装置１は、ＣＳＩ測定用上りリンクＲＳに基づいてＣＳＩ測定を行う。一方、第２の条件を満たさないと判定された場合（ステップＳ３０６／ＮＯ）、基地局装置１及び端末装置２は、下りリンクＲＲＭ測定を行う（ステップＳ３１０）。即ち、基地局装置１は、ＲＲＭ測定用下りリンクＲＳを送信し、端末装置２は、ＲＲＭ測定用下りリンクＲＳに基づいてＲＲＭ測定を行う。
【０２７４】
＜＜３．応用例＞＞
本開示に係る技術は、様々な製品へ応用可能である。例えば、基地局装置１は、マクロｅＮＢ又はスモールｅＮＢなどのいずれかの種類のｅＮＢ（evolved  Node  B）として実現されてもよい。スモールｅＮＢは、ピコｅＮＢ、マイクロｅＮＢ又はホーム（フェムト）ｅＮＢなどの、マクロセルよりも小さいセルをカバーするｅＮＢであってよい。その代わりに、基地局装置１は、ＮｏｄｅＢ又はＢＴＳ（Base  Transceiver  Station）などの他の種類の基地局として実現されてもよい。基地局装置１は、無線通信を制御する本体（基地局装置ともいう）と、本体とは別の場所に配置される１つ以上のＲＲＨ（Remote  Radio  Head）とを含んでもよい。また、後述する様々な種類の端末が一時的に又は半永続的に基地局機能を実行することにより、基地局装置１として動作してもよい。
【０２７５】
また、例えば、端末装置２は、スマートフォン、タブレットＰＣ（Personal  Computer）、ノートＰＣ、携帯型ゲーム端末、携帯型／ドングル型のモバイルルータ若しくはデジタルカメラなどのモバイル端末、又はカーナビゲーション装置などの車載端末として実現されてもよい。また、端末装置２は、Ｍ２Ｍ（Machine  To  Machine）通信を行う端末（ＭＴＣ（Machine  Type  Communication）端末ともいう）として実現されてもよい。さらに、端末装置２は、これら端末に搭載される無線通信モジュール（例えば、１つのダイで構成される集積回路モジュール）であってもよい。
【０２７６】
＜３．１．基地局装置に関する応用例＞
（第１の応用例）
図２２は、本開示に係る技術が適用され得るｅＮＢの概略的な構成の第１の例を示すブロック図である。ｅＮＢ８００は、１つ以上のアンテナ８１０、及び基地局装置８２０を有する。各アンテナ８１０及び基地局装置８２０は、ＲＦケーブルを介して互いに接続され得る。
【０２７７】
アンテナ８１０の各々は、単一の又は複数のアンテナ素子（例えば、ＭＩＭＯアンテナを構成する複数のアンテナ素子）を有し、基地局装置８２０による無線信号の送受信のために使用される。ｅＮＢ８００は、図２２に示したように複数のアンテナ８１０を有し、複数のアンテナ８１０は、例えばｅＮＢ８００が使用する複数の周波数帯域にそれぞれ対応してもよい。なお、図２２にはｅＮＢ８００が複数のアンテナ８１０を有する例を示したが、ｅＮＢ８００は単一のアンテナ８１０を有してもよい。
【０２７８】
基地局装置８２０は、コントローラ８２１、メモリ８２２、ネットワークインタフェース８２３及び無線通信インタフェース８２５を備える。
【０２７９】
コントローラ８２１は、例えばＣＰＵ又はＤＳＰであってよく、基地局装置８２０の上位レイヤの様々な機能を動作させる。例えば、コントローラ８２１は、無線通信インタフェース８２５により処理された信号内のデータからデータパケットを生成し、生成したパケットをネットワークインタフェース８２３を介して転送する。コントローラ８２１は、複数のベースバンドプロセッサからのデータをバンドリングすることによりバンドルドパケットを生成し、生成したバンドルドパケットを転送してもよい。また、コントローラ８２１は、無線リソース管理（Radio  Resource  Control）、無線ベアラ制御（Radio  Bearer  Control）、移動性管理（Mobility  Management）、流入制御（Admission  Control）又はスケジューリング（Scheduling）などの制御を実行する論理的な機能を有してもよい。また、当該制御は、周辺のｅＮＢ又はコアネットワークノードと連携して実行されてもよい。メモリ８２２は、ＲＡＭ及びＲＯＭを含み、コントローラ８２１により実行されるプログラム、及び様々な制御データ（例えば、端末リスト、送信電力データ及びスケジューリングデータなど）を記憶する。
【０２８０】
ネットワークインタフェース８２３は、基地局装置８２０をコアネットワーク８２４に接続するための通信インタフェースである。コントローラ８２１は、ネットワークインタフェース８２３を介して、コアネットワークノード又は他のｅＮＢと通信してもよい。その場合に、ｅＮＢ８００と、コアネットワークノード又は他のｅＮＢとは、論理的なインタフェース（例えば、Ｓ１インタフェース又はＸ２インタフェース）により互いに接続されてもよい。ネットワークインタフェース８２３は、有線通信インタフェースであってもよく、又は無線バックホールのための無線通信インタフェースであってもよい。ネットワークインタフェース８２３が無線通信インタフェースである場合、ネットワークインタフェース８２３は、無線通信インタフェース８２５により使用される周波数帯域よりもより高い周波数帯域を無線通信に使用してもよい。
【０２８１】
無線通信インタフェース８２５は、ＬＴＥ（Long  Term  Evolution）又はＬＴＥ−Ａｄｖａｎｃｅｄなどのいずれかのセルラー通信方式をサポートし、アンテナ８１０を介して、ｅＮＢ８００のセル内に位置する端末に無線接続を提供する。無線通信インタフェース８２５は、典型的には、ベースバンド（ＢＢ）プロセッサ８２６及びＲＦ回路８２７などを含み得る。ＢＢプロセッサ８２６は、例えば、符号化／復号、変調／復調及び多重化／逆多重化などを行なってよく、各レイヤ（例えば、Ｌ１、ＭＡＣ（Medium  Access  Control）、ＲＬＣ（Radio  Link  Control）及びＰＤＣＰ（Packet  Data  Convergence  Protocol））の様々な信号処理を実行する。ＢＢプロセッサ８２６は、コントローラ８２１の代わりに、上述した論理的な機能の一部又は全部を有してもよい。ＢＢプロセッサ８２６は、通信制御プログラムを記憶するメモリ、当該プログラムを実行するプロセッサ及び関連する回路を含むモジュールであってもよく、ＢＢプロセッサ８２６の機能は、上記プログラムのアップデートにより変更可能であってもよい。また、上記モジュールは、基地局装置８２０のスロットに挿入されるカード若しくはブレードであってもよく、又は上記カード若しくは上記ブレードに搭載されるチップであってもよい。一方、ＲＦ回路８２７は、ミキサ、フィルタ及びアンプなどを含んでもよく、アンテナ８１０を介して無線信号を送受信する。
【０２８２】
無線通信インタフェース８２５は、図２２に示したように複数のＢＢプロセッサ８２６を含み、複数のＢＢプロセッサ８２６は、例えばｅＮＢ８００が使用する複数の周波数帯域にそれぞれ対応してもよい。また、無線通信インタフェース８２５は、図２２に示したように複数のＲＦ回路８２７を含み、複数のＲＦ回路８２７は、例えば複数のアンテナ素子にそれぞれ対応してもよい。なお、図２２には無線通信インタフェース８２５が複数のＢＢプロセッサ８２６及び複数のＲＦ回路８２７を含む例を示したが、無線通信インタフェース８２５は単一のＢＢプロセッサ８２６又は単一のＲＦ回路８２７を含んでもよい。
【０２８３】
図２２に示したｅＮＢ８００において、図８を参照して説明した受信部１０５及び／又は送信部１０７は、無線通信インタフェース８２５（例えば、ＢＢプロセッサ８２６及び／又はＲＦ回路８２７）において実装されてもよい。例えば、無線通信インタフェース８２５は、ＲＲＭ測定用下りリンクＲＳを送信したり、ＲＲＭ測定用上りリンクＲＳに基づいてＲＲＭ測定を行ったり、ＣＳＩ測定用上りリンクＲＳに基づいてＣＳＩ測定を行ったり、これらの切り替えを行ったりする。例えば、無線通信インタフェース８２５に含まれるプロセッサにおいて、これらの動作を行うための機能が実装されてもよいい。このような動作を行う装置として、ｅＮＢ８００、基地局装置８２０又は上記モジュールが提供されてもよく、プロセッサに上記動作を行わせるためのプログラムが提供されてもよい。また、上記プログラムを記録した読み取り可能な記録媒体が提供されてもよい。また、送受信アンテナ１０９は、アンテナ８１０において実装されてもよい。また、制御部１０３及び上位層処理部１０１は、コントローラ８２１及び／又はネットワークインタフェース８２３において実装されてもよい。
【０２８４】
（第２の応用例）
図２３は、本開示に係る技術が適用され得るｅＮＢの概略的な構成の第２の例を示すブロック図である。ｅＮＢ８３０は、１つ以上のアンテナ８４０、基地局装置８５０、及びＲＲＨ８６０を有する。各アンテナ８４０及びＲＲＨ８６０は、ＲＦケーブルを介して互いに接続され得る。また、基地局装置８５０及びＲＲＨ８６０は、光ファイバケーブルなどの高速回線で互いに接続され得る。
【０２８５】
アンテナ８４０の各々は、単一の又は複数のアンテナ素子（例えば、ＭＩＭＯアンテナを構成する複数のアンテナ素子）を有し、ＲＲＨ８６０による無線信号の送受信のために使用される。ｅＮＢ８３０は、図２３に示したように複数のアンテナ８４０を有し、複数のアンテナ８４０は、例えばｅＮＢ８３０が使用する複数の周波数帯域にそれぞれ対応してもよい。なお、図２３にはｅＮＢ８３０が複数のアンテナ８４０を有する例を示したが、ｅＮＢ８３０は単一のアンテナ８４０を有してもよい。
【０２８６】
基地局装置８５０は、コントローラ８５１、メモリ８５２、ネットワークインタフェース８５３、無線通信インタフェース８５５及び接続インタフェース８５７を備える。コントローラ８５１、メモリ８５２及びネットワークインタフェース８５３は、図２２を参照して説明したコントローラ８２１、メモリ８２２及びネットワークインタフェース８２３と同様のものである。
【０２８７】
無線通信インタフェース８５５は、ＬＴＥ又はＬＴＥ−Ａｄｖａｎｃｅｄなどのいずれかのセルラー通信方式をサポートし、ＲＲＨ８６０及びアンテナ８４０を介して、ＲＲＨ８６０に対応するセクタ内に位置する端末に無線接続を提供する。無線通信インタフェース８５５は、典型的には、ＢＢプロセッサ８５６などを含み得る。ＢＢプロセッサ８５６は、接続インタフェース８５７を介してＲＲＨ８６０のＲＦ回路８６４と接続されることを除き、図２２を参照して説明したＢＢプロセッサ８２６と同様のものである。無線通信インタフェース８５５は、図２３に示したように複数のＢＢプロセッサ８５６を含み、複数のＢＢプロセッサ８５６は、例えばｅＮＢ８３０が使用する複数の周波数帯域にそれぞれ対応してもよい。なお、図２３には無線通信インタフェース８５５が複数のＢＢプロセッサ８５６を含む例を示したが、無線通信インタフェース８５５は単一のＢＢプロセッサ８５６を含んでもよい。
【０２８８】
接続インタフェース８５７は、基地局装置８５０（無線通信インタフェース８５５）をＲＲＨ８６０と接続するためのインタフェースである。接続インタフェース８５７は、基地局装置８５０（無線通信インタフェース８５５）とＲＲＨ８６０とを接続する上記高速回線での通信のための通信モジュールであってもよい。
【０２８９】
また、ＲＲＨ８６０は、接続インタフェース８６１及び無線通信インタフェース８６３を備える。
【０２９０】
接続インタフェース８６１は、ＲＲＨ８６０（無線通信インタフェース８６３）を基地局装置８５０と接続するためのインタフェースである。接続インタフェース８６１は、上記高速回線での通信のための通信モジュールであってもよい。
【０２９１】
無線通信インタフェース８６３は、アンテナ８４０を介して無線信号を送受信する。無線通信インタフェース８６３は、典型的には、ＲＦ回路８６４などを含み得る。ＲＦ回路８６４は、ミキサ、フィルタ及びアンプなどを含んでもよく、アンテナ８４０を介して無線信号を送受信する。無線通信インタフェース８６３は、図２３に示したように複数のＲＦ回路８６４を含み、複数のＲＦ回路８６４は、例えば複数のアンテナ素子にそれぞれ対応してもよい。なお、図２３には無線通信インタフェース８６３が複数のＲＦ回路８６４を含む例を示したが、無線通信インタフェース８６３は単一のＲＦ回路８６４を含んでもよい。
【０２９２】
図２３に示したｅＮＢ８３０において、図８を参照して説明した受信部１０５及び／又は送信部１０７は、無線通信インタフェース８５５及び／又は無線通信インタフェース８６３（例えば、ＢＢプロセッサ８５６及び／又はＲＦ回路８６４）において実装されてもよい。例えば、無線通信インタフェース８５５及び／又は無線通信インタフェース８６３は、ＲＲＭ測定用下りリンクＲＳを送信したり、ＲＲＭ測定用上りリンクＲＳに基づいてＲＲＭ測定を行ったり、ＣＳＩ測定用上りリンクＲＳに基づいてＣＳＩ測定を行ったり、これらの切り替えを行ったりする。例えば、無線通信インタフェース８５５及び／又は無線通信インタフェース８６３に含まれるプロセッサにおいて、これらの動作を行うための機能が実装されてもよいい。このような動作を行う装置として、ｅＮＢ８３０、基地局装置８５０又は上記モジュールが提供されてもよく、プロセッサに上記動作を行わせるためのプログラムが提供されてもよい。また、上記プログラムを記録した読み取り可能な記録媒体が提供されてもよい。また、送受信アンテナ１０９は、アンテナ８４０において実装されてもよい。また、制御部１０３及び上位層処理部１０１は、コントローラ８５１及び／又はネットワークインタフェース８５３において実装されてもよい。
【０２９３】
＜３．２．端末装置に関する応用例＞
（第１の応用例）
図２４は、本開示に係る技術が適用され得るスマートフォン９００の概略的な構成の一例を示すブロック図である。スマートフォン９００は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２、１つ以上のアンテナスイッチ９１５、１つ以上のアンテナ９１６、バス９１７、バッテリー９１８及び補助コントローラ９１９を備える。
【０２９４】
プロセッサ９０１は、例えばＣＰＵ又はＳｏＣ（System  on  Chip）であってよく、スマートフォン９００のアプリケーションレイヤ及びその他のレイヤの機能を制御する。メモリ９０２は、ＲＡＭ及びＲＯＭを含み、プロセッサ９０１により実行されるプログラム及びデータを記憶する。ストレージ９０３は、半導体メモリ又はハードディスクなどの記憶媒体を含み得る。外部接続インタフェース９０４は、メモリーカード又はＵＳＢ（Universal  Serial  Bus）デバイスなどの外付けデバイスをスマートフォン９００へ接続するためのインタフェースである。
【０２９５】
カメラ９０６は、例えば、ＣＣＤ（Charge  Coupled  Device）又はＣＭＯＳ（Complementary  Metal  Oxide  Semiconductor）などの撮像素子を有し、撮像画像を生成する。センサ９０７は、例えば、測位センサ、ジャイロセンサ、地磁気センサ及び加速度センサなどのセンサ群を含み得る。マイクロフォン９０８は、スマートフォン９００へ入力される音声を音声信号へ変換する。入力デバイス９０９は、例えば、表示デバイス９１０の画面上へのタッチを検出するタッチセンサ、キーパッド、キーボード、ボタン又はスイッチなどを含み、ユーザからの操作又は情報入力を受け付ける。表示デバイス９１０は、液晶ディスプレイ（ＬＣＤ）又は有機発光ダイオード（ＯＬＥＤ）ディスプレイなどの画面を有し、スマートフォン９００の出力画像を表示する。スピーカ９１１は、スマートフォン９００から出力される音声信号を音声に変換する。
【０２９６】
無線通信インタフェース９１２は、ＬＴＥ又はＬＴＥ−Ａｄｖａｎｃｅｄなどのいずれかのセルラー通信方式をサポートし、無線通信を実行する。無線通信インタフェース９１２は、典型的には、ＢＢプロセッサ９１３及びＲＦ回路９１４などを含み得る。ＢＢプロセッサ９１３は、例えば、符号化／復号、変調／復調及び多重化／逆多重化などを行なってよく、無線通信のための様々な信号処理を実行する。一方、ＲＦ回路９１４は、ミキサ、フィルタ及びアンプなどを含んでもよく、アンテナ９１６を介して無線信号を送受信する。無線通信インタフェース９１２は、ＢＢプロセッサ９１３及びＲＦ回路９１４を集積したワンチップのモジュールであってもよい。無線通信インタフェース９１２は、図２４に示したように複数のＢＢプロセッサ９１３及び複数のＲＦ回路９１４を含んでもよい。なお、図２４には無線通信インタフェース９１２が複数のＢＢプロセッサ９１３及び複数のＲＦ回路９１４を含む例を示したが、無線通信インタフェース９１２は単一のＢＢプロセッサ９１３又は単一のＲＦ回路９１４を含んでもよい。
【０２９７】
さらに、無線通信インタフェース９１２は、セルラー通信方式に加えて、近距離無線通信方式、近接無線通信方式又は無線ＬＡＮ（Local  Area  Network）方式などの他の種類の無線通信方式をサポートしてもよく、その場合に、無線通信方式ごとのＢＢプロセッサ９１３及びＲＦ回路９１４を含んでもよい。
【０２９８】
アンテナスイッチ９１５の各々は、無線通信インタフェース９１２に含まれる複数の回路（例えば、異なる無線通信方式のための回路）の間でアンテナ９１６の接続先を切り替える。
【０２９９】
アンテナ９１６の各々は、単一の又は複数のアンテナ素子（例えば、ＭＩＭＯアンテナを構成する複数のアンテナ素子）を有し、無線通信インタフェース９１２による無線信号の送受信のために使用される。スマートフォン９００は、図２４に示したように複数のアンテナ９１６を有してもよい。なお、図２４にはスマートフォン９００が複数のアンテナ９１６を有する例を示したが、スマートフォン９００は単一のアンテナ９１６を有してもよい。
【０３００】
さらに、スマートフォン９００は、無線通信方式ごとにアンテナ９１６を備えてもよい。その場合に、アンテナスイッチ９１５は、スマートフォン９００の構成から省略されてもよい。
【０３０１】
バス９１７は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２及び補助コントローラ９１９を互いに接続する。バッテリー９１８は、図中に破線で部分的に示した給電ラインを介して、図２４に示したスマートフォン９００の各ブロックへ電力を供給する。補助コントローラ９１９は、例えば、スリープモードにおいて、スマートフォン９００の必要最低限の機能を動作させる。
【０３０２】
図２４に示したスマートフォン９００において、図９を参照して説明した受信部２０５及び／又は送信部２０７は、無線通信インタフェース９１２（例えば、ＲＦ回路９１４及び／又はＢＢプロセッサ９１３）において実装されてもよい。例えば、無線通信インタフェース９１２は、ＲＲＭ測定用上りリンクＲＳを送信したり、ＣＳＩ測定用上りリンクＲＳを送信したり、ＲＲＭ測定用下りリンクＲＳに基づいてＲＲＭ測定を行ったり、これらの切り替えを行ったりする。例えば、無線通信インタフェース９１２に含まれるプロセッサにおいて、これらの動作を行うための機能が実装されてもよいい。このような動作を行う装置として、スマートフォン９００又は上記モジュールが提供されてもよく、プロセッサに上記動作を行わせるためのプログラムが提供されてもよい。また、上記プログラムを記録した読み取り可能な記録媒体が提供されてもよい。また、送受信アンテナ２０９は、アンテナ９１６において実装されてもよい。また、制御部２０３及び上位層処理部２０１は、プロセッサ９０１、及び／又は補助コントローラ９１９において実装されてもよい。
【０３０３】
（第２の応用例）
図２５は、本開示に係る技術が適用され得るカーナビゲーション装置９２０の概略的な構成の一例を示すブロック図である。カーナビゲーション装置９２０は、プロセッサ９２１、メモリ９２２、ＧＰＳ（Global  Positioning  System）モジュール９２４、センサ９２５、データインタフェース９２６、コンテンツプレーヤ９２７、記憶媒体インタフェース９２８、入力デバイス９２９、表示デバイス９３０、スピーカ９３１、無線通信インタフェース９３３、１つ以上のアンテナスイッチ９３６、１つ以上のアンテナ９３７及びバッテリー９３８を備える。
【０３０４】
プロセッサ９２１は、例えばＣＰＵ又はＳｏＣであってよく、カーナビゲーション装置９２０のナビゲーション機能及びその他の機能を制御する。メモリ９２２は、ＲＡＭ及びＲＯＭを含み、プロセッサ９２１により実行されるプログラム及びデータを記憶する。
【０３０５】
ＧＰＳモジュール９２４は、ＧＰＳ衛星から受信されるＧＰＳ信号を用いて、カーナビゲーション装置９２０の位置（例えば、緯度、経度及び高度）を測定する。センサ９２５は、例えば、ジャイロセンサ、地磁気センサ及び気圧センサなどのセンサ群を含み得る。データインタフェース９２６は、例えば、図示しない端子を介して車載ネットワーク９４１に接続され、車速データなどの車両側で生成されるデータを取得する。
【０３０６】
コンテンツプレーヤ９２７は、記憶媒体インタフェース９２８に挿入される記憶媒体（例えば、ＣＤ又はＤＶＤ）に記憶されているコンテンツを再生する。入力デバイス９２９は、例えば、表示デバイス９３０の画面上へのタッチを検出するタッチセンサ、ボタン又はスイッチなどを含み、ユーザからの操作又は情報入力を受け付ける。表示デバイス９３０は、ＬＣＤ又はＯＬＥＤディスプレイなどの画面を有し、ナビゲーション機能又は再生されるコンテンツの画像を表示する。スピーカ９３１は、ナビゲーション機能又は再生されるコンテンツの音声を出力する。
【０３０７】
無線通信インタフェース９３３は、ＬＴＥ又はＬＴＥ−Ａｄｖａｎｃｅｄなどのいずれかのセルラー通信方式をサポートし、無線通信を実行する。無線通信インタフェース９３３は、典型的には、ＢＢプロセッサ９３４及びＲＦ回路９３５などを含み得る。ＢＢプロセッサ９３４は、例えば、符号化／復号、変調／復調及び多重化／逆多重化などを行なってよく、無線通信のための様々な信号処理を実行する。一方、ＲＦ回路９３５は、ミキサ、フィルタ及びアンプなどを含んでもよく、アンテナ９３７を介して無線信号を送受信する。無線通信インタフェース９３３は、ＢＢプロセッサ９３４及びＲＦ回路９３５を集積したワンチップのモジュールであってもよい。無線通信インタフェース９３３は、図２５に示したように複数のＢＢプロセッサ９３４及び複数のＲＦ回路９３５を含んでもよい。なお、図２５には無線通信インタフェース９３３が複数のＢＢプロセッサ９３４及び複数のＲＦ回路９３５を含む例を示したが、無線通信インタフェース９３３は単一のＢＢプロセッサ９３４又は単一のＲＦ回路９３５を含んでもよい。
【０３０８】
さらに、無線通信インタフェース９３３は、セルラー通信方式に加えて、近距離無線通信方式、近接無線通信方式又は無線ＬＡＮ方式などの他の種類の無線通信方式をサポートしてもよく、その場合に、無線通信方式ごとのＢＢプロセッサ９３４及びＲＦ回路９３５を含んでもよい。
【０３０９】
アンテナスイッチ９３６の各々は、無線通信インタフェース９３３に含まれる複数の回路（例えば、異なる無線通信方式のための回路）の間でアンテナ９３７の接続先を切り替える。
【０３１０】
アンテナ９３７の各々は、単一の又は複数のアンテナ素子（例えば、ＭＩＭＯアンテナを構成する複数のアンテナ素子）を有し、無線通信インタフェース９３３による無線信号の送受信のために使用される。カーナビゲーション装置９２０は、図２５に示したように複数のアンテナ９３７を有してもよい。なお、図２５にはカーナビゲーション装置９２０が複数のアンテナ９３７を有する例を示したが、カーナビゲーション装置９２０は単一のアンテナ９３７を有してもよい。
【０３１１】
さらに、カーナビゲーション装置９２０は、無線通信方式ごとにアンテナ９３７を備えてもよい。その場合に、アンテナスイッチ９３６は、カーナビゲーション装置９２０の構成から省略されてもよい。
【０３１２】
バッテリー９３８は、図中に破線で部分的に示した給電ラインを介して、図２５に示したカーナビゲーション装置９２０の各ブロックへ電力を供給する。また、バッテリー９３８は、車両側から給電される電力を蓄積する。
【０３１３】
図２５に示したカーナビゲーション装置９２０において、図９を参照して説明した受信部２０５及び／又は送信部２０７は、無線通信インタフェース９３３（例えば、ＲＦ回路９３５及び／又はＢＢプロセッサ９３４）において実装されてもよい。例えば、無線通信インタフェース９３３は、ＲＲＭ測定用上りリンクＲＳを送信したり、ＣＳＩ測定用上りリンクＲＳを送信したり、ＲＲＭ測定用下りリンクＲＳに基づいてＲＲＭ測定を行ったり、これらの切り替えを行ったりする。例えば、無線通信インタフェース９３３に含まれるプロセッサにおいて、これらの動作を行うための機能が実装されてもよいい。このような動作を行う装置として、カーナビゲーション装置９２０又は上記モジュールが提供されてもよく、プロセッサに上記動作を行わせるためのプログラムが提供されてもよい。また、上記プログラムを記録した読み取り可能な記録媒体が提供されてもよい。また、送受信アンテナ２０９は、アンテナ９３７において実装されてもよい。また、制御部２０３及び上位層処理部２０１は、プロセッサ９２１において実装されてもよい。
【０３１４】
また、本開示に係る技術は、上述したカーナビゲーション装置９２０の１つ以上のブロックと、車載ネットワーク９４１と、車両側モジュール９４２とを含む車載システム（又は車両）９４０として実現されてもよい。車両側モジュール９４２は、車速、エンジン回転数又は故障情報などの車両側データを生成し、生成したデータを車載ネットワーク９４１へ出力する。
【０３１５】
＜＜４．まとめ＞＞
以上、図１〜図２５を参照して、本開示の一実施形態について詳細に説明した。上記説明したように、本実施形態に係る端末装置２は、ＲＲＭ測定用下りリンクＲＳに基づいて下りリンク測定を行い、無線リソースの管理のための測定に関する第１の設定に基づいてＲＲＭ測定用上りリンクＲＳを送信する。とりわけ、端末装置２は、第１の条件を満たす場合に、ＲＲＭ測定用上りリンクＲＳを送信を送信し、第２の条件を満たす場合に、下りリンク測定を行う。一方で、基地局装置１は、ＲＲＭ測定用下りリンクＲＳ送信し、また、第１の条件を満たす場合は端末装置２により送信されたＲＲＭ測定用上りリンクＲＳに基づいて上りリンク測定を行う。このような切り替えにより、基地局装置１及び端末装置２は、ＲＲＭ測定用下りリンクＲＳの測定及びＲＲＭ測定用上りリンクＲＳの測定を適切に利用することが可能となる。そして、それに伴いシステム全体の伝送効率を向上させることが可能となる。
【０３１６】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０３１７】
また、本明細書においてフローチャートを用いて説明した処理は、必ずしも図示された順序で実行されなくてもよい。いくつかの処理ステップは、並列的に実行されてもよい。また、追加的な処理ステップが採用されてもよく、一部の処理ステップが省略されてもよい。
【０３１８】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【０３１９】
なお、以下のような構成も本開示の技術的範囲に属する。
（１）
下りリンク参照信号に基づいて下りリンク測定を行う測定部と、
無線リソースの管理のための測定に関する第１の設定に基づいて第１の上りリンク参照信号を送信する送信部と、
を備え、
前記送信部は、第１の条件を満たす場合に、前記第１の上りリンク参照信号を送信し、
前記測定部は、第２の条件を満たす場合に、前記下りリンク測定を行う、
端末装置。
（２）
前記第１の条件を満たす場合は、前記端末装置が接続モードであり、
前記第２の条件を満たす場合は、前記端末装置がアイドルモードまたは不活性モードである、前記（１）に記載の端末装置。
（３）
前記第１の条件を満たす場合は、対象の時間リソースがＤＲＸ（Discontinuous  Reception）区間内であり、
前記第２の条件を満たす場合は、前記対象の時間リソースがＤＲＸ区間外である、前記（１）又は（２）に記載の端末装置。
（４）
前記送信部は、第３の条件を満たす場合に、前記第１の上りリンク参照信号を送信し、第４の条件を満たす場合に、前記第１の設定とは異なる第２の設定に基づいて第２の上りリンク参照信号を送信する、前記（１）〜（３）のいずれか一項に記載の端末装置。
（５）
前記第３の条件を満たす場合は、対象の周波数リソースがデアクティベーションであり、
前記第４の条件を満たす場合は、前記対象の周波数リソースがアクティベーションである、前記（４）に記載の端末装置。
（６）
前記第３の条件を満たす場合は、対象の時間リソースが前記第１の設定で指示される送信タイミングであり、
前記第４の条件を満たす場合は、前記対象の時間リソースが前記第２の設定で指示される送信タイミングであり、かつ、前記第１の設定で指示される送信タイミングでない、前記（４）又は（５）に記載の端末装置。
（７）
所定の周波数リソースにおいて、前記第１の上りリンク参照信号と前記第２の上りリンク参照信号とが同時に送信されることがない、前記（４）〜（６）のいずれか一項に記載の端末装置。
（８）
下りリンク参照信号を送信する送信部と、
第１の条件を満たす場合に無線リソースの管理のための測定に関する第１の設定に基づいて第１の上りリンク参照信号を送信し、第２の条件を満たす場合に前記下りリンク参照信号に基づいて下りリンク測定を行う端末装置により送信された、前記第１の上りリンク参照信号に基づいて第１の上りリンク測定を行う測定部と
を備える基地局装置。
（９）
前記基地局装置は、前記第１の上りリンク測定により得られた測定情報を隣接基地局に転送する転送部をさらに備える、前記（８）に記載の基地局装置。
（１０）
前記第１の条件を満たす場合は、前記端末装置が接続モードであり、
前記第２の条件を満たす場合は、前記端末装置がアイドルモードまたは不活性モードである、前記（８）又は（９）に記載の基地局装置。
（１１）
前記第１の条件を満たす場合は、対象の時間リソースがＤＲＸ区間内であり、
前記第２の条件を満たす場合は、前記対象の時間リソースがＤＲＸ区間外である、前記（８）〜（１０）のいずれか一項に記載の基地局装置。
（１２）
前記測定部は、第３の条件を満たす場合に、前記第１の上りリンク測定を行い、第４の条件を満たす場合に、前記第１の設定とは異なる第２の設定に基づいて前記端末装置により送信された、第２の上りリンク参照信号に基づいて第２の上りリンク測定を行う、前記（８）〜（１１）のいずれか一項に記載の基地局装置。
（１３）
前記第３の条件を満たす場合は、対象の周波数リソースがデアクティベーションであり、
前記第４の条件を満たす場合は、前記対象の周波数リソースがアクティベーションである、前記（１２）に記載の基地局装置。
（１４）
前記第３の条件を満たす場合は、対象の時間リソースが前記第１の設定で指示される送信タイミングであり、
前記第４の条件を満たす場合は、前記対象の時間リソースが前記第２の設定で指示される送信タイミングであり、かつ、前記第１の設定で指示される送信タイミングでない、前記（１２）又は（１３）に記載の基地局装置。
（１５）
所定の周波数リソースにおいて、前記第１の上りリンク参照信号と前記第２の上りリンク参照信号とが同時に送信されることがない、前記（１２）〜（１４）のいずれか一項に記載の基地局装置。
（１６）
第２の条件を満たす場合に、下りリンク参照信号に基づいて下りリンク測定を行うことと、
第１の条件を満たす場合に、無線リソースの管理のための測定に関する第１の設定に基づいて第１の上りリンク参照信号を送信することと、
を含むプロセッサにより実行される方法。
（１７）
下りリンク参照信号を送信することと、
第１の条件を満たす場合に無線リソースの管理のための測定に関する第１の設定に基づいて第１の上りリンク参照信号を送信し、第２の条件を満たす場合に前記下りリンク参照信号に基づいて下りリンク測定を行う端末装置により送信された、前記第１の上りリンク参照信号に基づいて第１の上りリンク測定を行うことと、
を含むプロセッサにより実行される方法。
【符号の説明】
【０３２０】
１      基地局装置
１０１    上位層処理部
１０３    制御部
１０５    受信部
１０５１    復号化部
１０５３    復調部
１０５５    多重分離部
１０５７    無線受信部
１０５９    チャネル測定部
１０７    送信部
１０７１    符号化部
１０７３    変調部
１０７５    多重部
１０７７    無線送信部
１０７９    下りリンク参照信号生成部
１０９    送受信アンテナ
２      端末装置
２０１    上位層処理部
２０３    制御部
２０５    受信部
２０５１    復号化部
２０５３    復調部
２０５５    多重分離部
２０５７    無線受信部
２０５９    チャネル測定部
２０７    送信部
２０７１    符号化部
２０７３    変調部
２０７５    多重部
２０７７    無線送信部
２０７９    上りリンク参照信号生成部
２０９    送受信アンテナ
【図１】
2018074504.tif 000003
【図２】
2018074504.tif 000004
【図３】
2018074504.tif 000005
【図４】
2018074504.tif 000006
【図５】
2018074504.tif 000007
【図６】
2018074504.tif 000008
【図７】
2018074504.tif 000009
【図８】
2018074504.tif 000010
【図９】
2018074504.tif 000011
【図１０】
2018074504.tif 000012
【図１１】
2018074504.tif 000013
【図１２】
2018074504.tif 000014
【図１３】
2018074504.tif 000015
【図１４】
2018074504.tif 000016
【図１５】
2018074504.tif 000017
【図１６】
2018074504.tif 000018
【図１７】
2018074504.tif 000019
【図１８】
2018074504.tif 000020
【図１９】
2018074504.tif 000021
【図２０】
2018074504.tif 000022
【図２１】
2018074504.tif 000023
【図２２】
2018074504.tif 000024
【図２３】
2018074504.tif 000025
【図２４】
2018074504.tif 000026
【図２５】
2018074504.tif 000027